(57)【要約】【課題】抵抗膜式タッチパネルにおける２点間距離情報を検出する方法を提供する。【解決手段】ステップＳ９において、第１の抵抗膜のＸ軸方向の両端を短絡させ、第２の抵抗膜のＹ軸方向の両端間に所定の定電流を供給した状態で、第１の抵抗膜のＸ軸方向の両端の電位Ｖ（Ｘ）を計測する。ステップＳ１０において、第２の抵抗膜のＹ軸方向の両端を短絡させ、第１の抵抗膜のＸ軸方向の両端間に前記所定の定電流を供給した状態で、第２の抵抗膜のＹ軸方向の両端の電位Ｖ（Ｙ）を計測する。第１の抵抗膜が第２の抵抗膜に対して２点で接触するとき、電位Ｖ（Ｘ）は、この２点のＸ軸方向の距離に係る値をとり、電位Ｖ（Ｙ）は、Ｙ軸方向の距離に係る値をとる。ステップＳ１１乃至１９において、電位Ｖ（Ｘ）と電位Ｖ（Ｙ）とに基づいて、第１の抵抗膜が第２の抵抗膜に対して２点で接触するときの、この２点間の距離の変化情報を導出する。【選択図】図５
2011248858.tif 000002
【特許請求の範囲】
【請求項１】
第１の抵抗膜の第１の方向における両端間を短絡し且つ第２の抵抗膜の第２の方向における両端間に予め定めた値の電流を供給した状態で、前記第１の抵抗膜の前記第１の方向における前記両端での電位を計測する第１のステップと、
前記第２の抵抗膜の前記第２の方向における前記両端間を短絡し且つ前記第１の抵抗膜の前記第１の方向における前記両端間に前記予め定めた値の電流を供給した状態で、前記第２の抵抗膜の前記第２の方向における前記両端での電位を計測する第２のステップと、
前記第１のステップで計測した前記電位と前記第２のステップで計測した前記電位とに基づいて前記第１の抵抗膜が前記第２の抵抗膜に対して２点で接触するときの前記２点間の距離情報を導出する第３のステップと、
を含むことを特徴とする抵抗膜式タッチパネルの接触状態検出方法。
【請求項２】
第１の抵抗膜の第１の方向の端である第１の端領域と該第１の抵抗膜の前記第１の方向と反対の方向の端である第２の端領域との間に予め定めた電圧を印加し且つ第２の抵抗膜の第２の方向の端である第３の端領域を開放した第１の状態で、前記第２の抵抗膜の前記第２の方向と反対の方向の端である第４の端領域の電位を第１の電位として計測する第１のステップと、
前記第３の端領域と前記第４の端領域との間に前記電圧を印加し且つ前記第１の端領域を開放した第２の状態で、前記第２の端領域の電位を第２の電位として計測する第２のステップと、
前記第１の端領域と前記第４の端領域とを短絡させ且つ前記第１の端領域と前記第２の端領域との間に前記電圧を印加した第３の状態で、前記第３の端領域の電位を第３の電位として計測する第３のステップと、
前記第１の端領域と前記第３の端領域とを短絡させ且つ前記第１の端領域と前記第２の端領域との間に前記電圧を印加した第４の状態で、前記第４の端領域の電位を第４の電位として計測する第４のステップと、
前記第１の端領域と前記第２の端領域とを短絡させ且つ前記第３の端領域と前記第４の端領域との間に予め定めた値の電流を供給した第５の状態で、前記第１の端領域及び前記第２の端領域の電位を第５の電位として計測する第５のステップと、
前記第３の端領域と前記第４の端領域とを短絡させ且つ前記第１の端領域と前記第２の端領域との間に前記電流を供給した第６の状態で、前記第３の端領域と前記第４の端領域の電位を第６の電位として計測する第６のステップと、
前記第１の電位、前記第２の電位、前記第３の電位、前記第４の電位、前記第５の電位及び前記第６の電位に基づいて、前記第１の抵抗膜が前記第２の抵抗膜に対して２点で接触するときの前記２点間の距離情報を導出する第７のステップと、
を含むことを特徴とする抵抗膜式タッチパネルの接触状態検出方法。
【請求項３】
前記第１の電位と前記第２の電位とに基づいて前記２点の中間の位置情報を導出する第８のステップを更に含むことを特徴とする請求項２に記載の抵抗膜式タッチパネルの接触状態検出方法。
【請求項４】
前記第７のステップは、前記第１の抵抗膜と前記第２の抵抗膜との接触点の数が１点でないと判定された場合に実施されることを特徴とする請求項２又は３に記載の抵抗膜式タッチパネルの接触状態検出方法。
【請求項５】
前記第７のステップは、
前記第１の電位と前記第２の電位と前記第５の電位とに基づいて、前記第１の方向における前記２点間の第１の距離情報を導出するステップと、
前記第１の電位と前記第２の電位と前記第６の電位とに基づいて、前記第２の方向における前記２点間の第２の距離情報を導出するステップと、
を含むことを特徴とする請求項２乃至４のうち何れか１項に記載の抵抗膜式タッチパネルの接触状態検出方法。
【請求項６】
前記第１の方向と前記第２の方向は互いに直交する方向であることを特徴とする請求項２乃至５のうち何れか１項に記載の抵抗膜式タッチパネルの接触状態検出方法。
【請求項７】
前記第１の抵抗膜と前記第２の抵抗膜は、互いに対向するように配置されていることを特徴とする請求項２乃至６のうち何れか１項に記載の抵抗膜式タッチパネルの接触状態検出方法。
【請求項８】
第１の抵抗膜と、
前記第１の抵抗膜と対向する第２の抵抗膜と、
を有するタッチパネルと、
前記第１の抵抗膜の第１の方向における両端間を短絡し且つ前記第２の抵抗膜の第２の方向における両端間に予め定めた値の電流を供給した状態で、前記第１の抵抗膜の前記第１の方向における前記両端での電位を計測し、
前記第２の抵抗膜の前記第２の方向における前記両端間を短絡し且つ前記第１の抵抗膜の前記第１の方向における前記両端間に前記予め定めた値の電流を供給した状態で、前記第２の抵抗膜の前記第２の方向における前記両端での電位を計測し、
前記計測した２つの電位に基づいて前記第１の抵抗膜が前記第２の抵抗膜に対して２点で接触するときの前記２点間の距離情報を導出する、
駆動回路と、
を具備することを特徴とするタッチパネル装置。
【請求項９】
第１の抵抗膜と、
前記第１の抵抗膜と対向する第２の抵抗膜と、
を有するタッチパネルと、
前記第１の抵抗膜の第１の方向の端である第１の端領域と該第１の抵抗膜の前記第１の方向と反対の方向の端である第２の端領域との間に予め定めた電圧を印加し且つ前記第２の抵抗膜の第２の方向の端である第３の端領域を開放した第１の状態で、前記第２の抵抗膜の前記第２の方向と反対の方向の端である第４の端領域の電位を第１の電位として計測し、
前記第３の端領域と前記第４の端領域との間に前記電圧を印加し且つ前記第１の端領域を開放した第２の状態で、前記第２の端領域の電位を第２の電位として計測し、
前記第１の端領域と前記第４の端領域とを短絡させ且つ前記第１の端領域と前記第２の端領域との間に前記電圧を印加した第３の状態で、前記第３の端領域の電位を第３の電位として計測し、
前記第１の端領域と前記第３の端領域とを短絡させ且つ前記第１の端領域と前記第２の端領域との間に前記電圧を印加した第４の状態で、前記第４の端領域の電位を第４の電位として計測し、
前記第１の端領域と前記第２の端領域とを短絡させ且つ前記第３の端領域と前記第４の端領域との間に予め定めた値の電流を供給した第５の状態で、前記第１の端領域及び前記第２の端領域の電位を第５の電位として計測し、
前記第３の端領域と前記第４の端領域とを短絡させ且つ前記第１の端領域と前記第２の端領域との間に前記電流を供給した第６の状態で、前記第３の端領域と前記第４の端領域の電位を第６の電位として計測し、
前記第１の電位、前記第２の電位、前記第３の電位、前記第４の電位、前記第５の電位及び前記第６の電位に基づいて、前記第１の抵抗膜が前記第２の抵抗膜に対して２点で接触するときの前記２点間の距離情報を導出する、
駆動回路と、
を具備することを特徴とするタッチパネル装置。
【請求項１０】
前記駆動回路は、更に前記第１の電位と前記第２の電位とに基づいて前記２点の中間の位置情報を導出することを特徴とする請求項９に記載のタッチパネル装置。
【請求項１１】
前記駆動回路は、前記第１の抵抗膜と前記第２の抵抗膜との接触点の数が１点でないと判定した場合に前記２点間の前記距離情報を導出することを特徴とする請求項９又は１０に記載のタッチパネル装置。
【請求項１２】
前記第１の方向と前記第２の方向は互いに直交する方向であることを特徴とする請求項９乃至１１のうち何れか１項に記載のタッチパネル装置。
【請求項１３】
前記タッチパネルは、
前記第１の抵抗膜が形成された第１基板と、
前記第１基板と前記第１の抵抗膜との間に介在するように配列された複数の突起部と、
を有していることを特徴とする請求項９乃至１２のうち何れか１項に記載のタッチパネル装置。
【請求項１４】
前記２点間の前記距離情報の導出は、
前記第１の電位と前記第２の電位と前記第５の電位とに基づいて、前記第１の方向における前記２点間の第１の距離情報の導出と、
前記第１の電位と前記第２の電位と前記第６の電位とに基づいて、前記第２の方向における前記２点間の第２の距離情報の導出と、
を含むことを特徴とする請求項９乃至１３のうち何れか１項に記載のタッチパネル装置。
【請求項１５】
画像を表示する表示パネルと、
第１の抵抗膜と、
前記第１の抵抗膜と対向する第２の抵抗膜と、
を有するタッチパネルと、
前記第１の抵抗膜の第１の方向における両端間を短絡し且つ前記第２の抵抗膜の第２の方向における両端間に予め定めた値の電流を供給した状態で、前記第１の抵抗膜の前記第１の方向における前記両端での電位を計測し、
前記第２の抵抗膜の前記第２の方向における前記両端間を短絡し且つ前記第１の抵抗膜の前記第１の方向における前記両端間に前記予め定めた値の電流を供給した状態で、前記第２の抵抗膜の前記第２の方向における前記両端での電位を計測し、
前記計測した２つの電位に基づいて前記第１の抵抗膜が前記第２の抵抗膜に対して２点で接触するときの前記２点間の距離情報を導出する、
駆動回路と、
を具備することを特徴とする表示装置。
【請求項１６】
画像を表示する表示パネルと、
第１の抵抗膜と、
前記第１の抵抗膜と対向する第２の抵抗膜と、
を有するタッチパネルと、
前記第１の抵抗膜の第１の方向の端である第１の端領域と該第１の抵抗膜の前記第１の方向と反対の方向の端である第２の端領域との間に予め定めた電圧を印加し且つ前記第２の抵抗膜の第２の方向の端である第３の端領域を開放した第１の状態で、前記第２の抵抗膜の前記第２の方向と反対の方向の端である第４の端領域の電位を第１の電位として計測し、
前記第３の端領域と前記第４の端領域との間に前記電圧を印加し且つ前記第１の端領域を開放した第２の状態で、前記第２の端領域の電位を第２の電位として計測し、
前記第１の端領域と前記第４の端領域とを短絡させ且つ前記第１の端領域と前記第２の端領域との間に前記電圧を印加した第３の状態で、前記第３の端領域の電位を第３の電位として計測し、
前記第１の端領域と前記第３の端領域とを短絡させ且つ前記第１の端領域と前記第２の端領域との間に前記電圧を印加した第４の状態で、前記第４の端領域の電位を第４の電位として計測し、
前記第１の端領域と前記第２の端領域とを短絡させ且つ前記第３の端領域と前記第４の端領域との間に予め定めた値の電流を供給した第５の状態で、前記第１の端領域及び前記第２の端領域の電位を第５の電位として計測し、
前記第３の端領域と前記第４の端領域とを短絡させ且つ前記第１の端領域と前記第２の端領域との間に前記電流を供給した第６の状態で、前記第３の端領域と前記第４の端領域の電位を第６の電位として計測し、
前記第１の電位、前記第２の電位、前記第３の電位、前記第４の電位、前記第５の電位及び前記第６の電位に基づいて、前記第１の抵抗膜が前記第２の抵抗膜に対して２点で接触するときの前記２点間の距離情報を導出する、
駆動回路と、
を具備することを特徴とする表示装置。
【請求項１７】
前記表示パネルは画像表示領域が前記タッチパネルにおけるタッチ検出領域に対して対向するように配置されている請求項１５又は１６に記載の表示装置。
【発明の詳細な説明】
【技術分野】
【０００１】
本発明は、抵抗膜式タッチパネルの接触状態検出方法、タッチパネル装置、及び表示装置、特に、同時に押圧された２点の２点間距離情報も検出する、抵抗膜式タッチパネルの接触状態検出方法、タッチパネル装置、及び表示装置に関する。
【背景技術】
【０００２】
抵抗膜式として知られるタッチパネル装置は、間隙を設けて対向配置された押圧側の基板及び裏側の基板の互いに対向する面に、それぞれ押圧側抵抗膜及び裏側抵抗膜を設けた構成を有する。押圧側基板が、押圧側抵抗膜が形成されている面と反対側の面側からタッチされることにより押圧されて撓むと、押圧側抵抗膜と裏側抵抗膜とが局部的に接触し、押圧側抵抗膜と裏側抵抗膜は、その接触点において電気的に導通する。このような抵抗膜式のタッチパネル装置では、駆動回路により押圧側抵抗膜の両端間と裏側抵抗膜の両端間とに交互に電圧を印加し、前記接触点における導通に基づき、当該接触点の位置をタッチ位置として検出する。
【０００３】
前記の様な抵抗膜式のタッチパネル装置は、タッチ箇所（押圧箇所）が１点であることを前提にして接触点を演算導出している。従って、複数点が同時に押圧された場合、前記一対の抵抗膜が複数の接触点で導通するため、それらの点の中間の位置が押圧されたという誤った検出をする。そこで、例えば特許文献１には、複数点が押圧されると、例えば前記押圧側抵抗膜の両端間の抵抗値が低下する現象を利用して、複数点が押圧されたことを判定する技術が開示されている。
【先行技術文献】
【特許文献】
【０００４】
【特許文献１】特開平８−２４１１６１号公報
【発明の概要】
【発明が解決しようとする課題】
【０００５】
特許文献１に開示されているタッチパネル装置においては、誤検出を防止することを目的として、複数点が押圧されたことを判定している。これに対して、様々な操作を実現するための入力手段として、複数点が同時に押圧されていることを有意な情報として取得するタッチパネル装置が求められている。特に２点が同時に押圧された場合の２点間距離情報を検出することは有意義である。
【０００６】
そこで本発明は、予め定めた領域の２点が同時に押圧された場合の２点間距離情報又は２点間距離の変化情報を検出することができる、抵抗膜式タッチパネルの接触状態検出方法、タッチパネル装置、及び、表示装置を提供することを目的とする。
【課題を解決するための手段】
【０００７】
前記目的を果たすため、本発明の抵抗膜式タッチパネルの接触状態検出方法の一態様は、第１の抵抗膜の第１の方向における両端間を短絡し且つ第２の抵抗膜の第２の方向における両端間に予め定めた値の電流を供給した状態で、前記第１の抵抗膜の前記第１の方向における前記両端での電位を計測する第１のステップと、前記第２の抵抗膜の前記第２の方向における前記両端間を短絡し且つ前記第１の抵抗膜の前記第１の方向における前記両端間に前記予め定めた値の電流を供給した状態で、前記第２の抵抗膜の前記第２の方向における前記両端での電位を計測する第２のステップと、前記第１のステップで計測した前記電位と前記第２のステップで計測した前記電位とに基づいて前記第１の抵抗膜が前記第２の抵抗膜に対して２点で接触するときの前記２点間の距離情報を導出する第３のステップと、を含むことを特徴とする。
【０００８】
本発明の抵抗膜式タッチパネルの接触状態検出方法の別の一態様は、第１の抵抗膜の第１の方向の端である第１の端領域と該第１の抵抗膜の前記第１の方向と反対の方向の端である第２の端領域との間に予め定めた電圧を印加し且つ第２の抵抗膜の第２の方向の端である第３の端領域を開放した第１の状態で、前記第２の抵抗膜の前記第２の方向と反対の方向の端である第４の端領域の電位を第１の電位として計測する第１のステップと、前記第３の端領域と前記第４の端領域との間に前記電圧を印加し且つ前記第１の端領域を開放した第２の状態で、前記第２の端領域の電位を第２の電位として計測する第２のステップと、前記第１の端領域と前記第４の端領域とを短絡させ且つ前記第１の端領域と前記第２の端領域との間に前記電圧を印加した第３の状態で、前記第３の端領域の電位を第３の電位として計測する第３のステップと、前記第１の端領域と前記第３の端領域とを短絡させ且つ前記第１の端領域と前記第２の端領域との間に前記電圧を印加した第４の状態で、前記第４の端領域の電位を第４の電位として計測する第４のステップと、前記第１の端領域と前記第２の端領域とを短絡させ且つ前記第３の端領域と前記第４の端領域との間に予め定めた値の電流を供給した第５の状態で、前記第１の端領域及び前記第２の端領域の電位を第５の電位として計測する第５のステップと、前記第３の端領域と前記第４の端領域とを短絡させ且つ前記第１の端領域と前記第２の端領域との間に前記電流を供給した第６の状態で、前記第３の端領域と前記第４の端領域の電位を第６の電位として計測する第６のステップと、前記第１の電位、前記第２の電位、前記第３の電位、前記第４の電位、前記第５の電位及び前記第６の電位に基づいて、前記第１の抵抗膜が前記第２の抵抗膜に対して２点で接触するときの前記２点間の距離情報を導出する第７のステップと、を含むことを特徴とする。
【０００９】
本発明のタッチパネル装置の一態様は、第１の抵抗膜と、前記第１の抵抗膜と対向する第２の抵抗膜と、を有するタッチパネルと、前記第１の抵抗膜の第１の方向における両端間を短絡し且つ前記第２の抵抗膜の第２の方向における両端間に予め定めた値の電流を供給した状態で、前記第１の抵抗膜の前記第１の方向における前記両端での電位を計測し、前記第２の抵抗膜の前記第２の方向における前記両端間を短絡し且つ前記第１の抵抗膜の前記第１の方向における前記両端間に前記予め定めた値の電流を供給した状態で、前記第２の抵抗膜の前記第２の方向における前記両端での電位を計測し、前記計測した２つの電位に基づいて前記第１の抵抗膜が前記第２の抵抗膜に対して２点で接触するときの前記２点間の距離情報を導出する、駆動回路と、を具備することを特徴とする。
【００１０】
本発明のタッチパネル装置の別の一態様は、第１の抵抗膜と、前記第１の抵抗膜と対向する第２の抵抗膜と、を有するタッチパネルと、前記第１の抵抗膜の第１の方向の端である第１の端領域と該第１の抵抗膜の前記第１の方向と反対の方向の端である第２の端領域との間に予め定めた電圧を印加し且つ前記第２の抵抗膜の第２の方向の端である第３の端領域を開放した第１の状態で、前記第２の抵抗膜の前記第２の方向と反対の方向の端である第４の端領域の電位を第１の電位として計測し、前記第３の端領域と前記第４の端領域との間に前記電圧を印加し且つ前記第１の端領域を開放した第２の状態で、前記第２の端領域の電位を第２の電位として計測し、前記第１の端領域と前記第４の端領域とを短絡させ且つ前記第１の端領域と前記第２の端領域との間に前記電圧を印加した第３の状態で、前記第３の端領域の電位を第３の電位として計測し、前記第１の端領域と前記第３の端領域とを短絡させ且つ前記第１の端領域と前記第２の端領域との間に前記電圧を印加した第４の状態で、前記第４の端領域の電位を第４の電位として計測し、前記第１の端領域と前記第２の端領域とを短絡させ且つ前記第３の端領域と前記第４の端領域との間に予め定めた値の電流を供給した第５の状態で、前記第１の端領域及び前記第２の端領域の電位を第５の電位として計測し、前記第３の端領域と前記第４の端領域とを短絡させ且つ前記第１の端領域と前記第２の端領域との間に前記電流を供給した第６の状態で、前記第３の端領域と前記第４の端領域の電位を第６の電位として計測し、前記第１の電位、前記第２の電位、前記第３の電位、前記第４の電位、前記第５の電位及び前記第６の電位に基づいて、前記第１の抵抗膜が前記第２の抵抗膜に対して２点で接触するときの前記２点間の距離情報を導出する、駆動回路と、を具備することを特徴とする。
【００１１】
本発明の表示装置の一態様は、画像を表示する表示パネルと、第１の抵抗膜と、前記第１の抵抗膜と対向する第２の抵抗膜と、を有するタッチパネルと、前記第１の抵抗膜の第１の方向における両端間を短絡し且つ前記第２の抵抗膜の第２の方向における両端間に予め定めた値の電流を供給した状態で、前記第１の抵抗膜の前記第１の方向における前記両端での電位を計測し、前記第２の抵抗膜の前記第２の方向における前記両端間を短絡し且つ前記第１の抵抗膜の前記第１の方向における前記両端間に前記予め定めた値の電流を供給した状態で、前記第２の抵抗膜の前記第２の方向における前記両端での電位を計測し、前記計測した２つの電位に基づいて前記第１の抵抗膜が前記第２の抵抗膜に対して２点で接触するときの前記２点間の距離情報を導出する、駆動回路と、を具備することを特徴とする。
【００１２】
本発明の表示装置の別の一態様は、画像を表示する表示パネルと、第１の抵抗膜と、前記第１の抵抗膜と対向する第２の抵抗膜と、を有するタッチパネルと、前記第１の抵抗膜の第１の方向の端である第１の端領域と該第１の抵抗膜の前記第１の方向と反対の方向の端である第２の端領域との間に予め定めた電圧を印加し且つ前記第２の抵抗膜の第２の方向の端である第３の端領域を開放した第１の状態で、前記第２の抵抗膜の前記第２の方向と反対の方向の端である第４の端領域の電位を第１の電位として計測し、前記第３の端領域と前記第４の端領域との間に前記電圧を印加し且つ前記第１の端領域を開放した第２の状態で、前記第２の端領域の電位を第２の電位として計測し、前記第１の端領域と前記第４の端領域とを短絡させ且つ前記第１の端領域と前記第２の端領域との間に前記電圧を印加した第３の状態で、前記第３の端領域の電位を第３の電位として計測し、前記第１の端領域と前記第３の端領域とを短絡させ且つ前記第１の端領域と前記第２の端領域との間に前記電圧を印加した第４の状態で、前記第４の端領域の電位を第４の電位として計測し、前記第１の端領域と前記第２の端領域とを短絡させ且つ前記第３の端領域と前記第４の端領域との間に予め定めた値の電流を供給した第５の状態で、前記第１の端領域及び前記第２の端領域の電位を第５の電位として計測し、前記第３の端領域と前記第４の端領域とを短絡させ且つ前記第１の端領域と前記第２の端領域との間に前記電流を供給した第６の状態で、前記第３の端領域と前記第４の端領域の電位を第６の電位として計測し、前記第１の電位、前記第２の電位、前記第３の電位、前記第４の電位、前記第５の電位及び前記第６の電位に基づいて、前記第１の抵抗膜が前記第２の抵抗膜に対して２点で接触するときの前記２点間の距離情報を導出する、駆動回路と、を具備することを特徴とする。
【発明の効果】
【００１３】
本発明によれば、予め定めた領域の２点が同時に押圧された場合の２点間距離情報又は２点間距離の変化情報を検出することができる、抵抗膜式タッチパネルの接触状態検出方法、タッチパネル装置、及び、表示装置を提供できる。
【図面の簡単な説明】
【００１４】
【図１】タッチパネル装置を備えた表示装置の構成例を示す側面図。
【図２】タッチパネル一例を示す拡大断面図。
【図３】第１の実施形態に係るタッチパネル装置の全体構成の例を示す図。
【図４】タッチパネルの一部分がタッチされたときの当該タッチパネルの状態を説明する為の断面図。
【図５】タッチパネルへのタッチ位置を検出する処理を説明するためのフローチャート。
【図６】駆動回路により設定される第１の状態を説明する為の回路図。
【図７】第１の状態で検出される電位の一例を説明する為の図。
【図８】駆動回路により設定される第２の状態を説明する為の回路図。
【図９】第２の状態で検出される電位の一例を説明する為の図。
【図１０】駆動回路により設定される第３の状態を説明する為の回路図。
【図１１】第３の状態で１点がタッチされた場合に検出される電位の一例であり、記憶部が記憶するＹＵ接地テーブルの一例を示す図。
【図１２】第３の状態で２点がタッチされた場合に検出される電位を説明する為の図。
【図１３】検出される電位とＹＵ接地テーブルの値の差の判定を説明する為の図。
【図１４】駆動回路により設定される第４の状態を説明する為の回路図。
【図１５】第４の状態で１点がタッチされた場合に検出される電位の一例であり、記憶部が記憶するＹＤ接地テーブルの一例を示す図。
【図１６】第４の状態で２点がタッチされた場合に検出される電位を説明する為の図。
【図１７】検出される電位とＹＤ接地テーブルの値の差の判定を説明する為の図。
【図１８】駆動回路により設定される第５の状態を説明する為の回路図。
【図１９】第５の状態で２点がタッチされている場合の等価回路図。
【図２０】第５の状態で２点がタッチされた場合に検出される電位を説明する為の図。
【図２１】駆動回路により設定される第６の状態を説明する為の回路図。
【図２２】第６の状態で２点がタッチされている場合の等価回路図。
【図２３】第６の状態で２点がタッチされた場合に検出される電位を説明する為の図。
【図２４】本発明の抵抗膜式タッチパネル装置の応用例を説明する為の図。
【図２５】第２の実施形態に係るタッチパネル装置の全体構成の例を示す図。
【図２６】タッチパネルへのタッチ位置を検出する処理を説明するためのフローチャート。
【図２７】第５の状態で２点がタッチされた場合に検出される電位の補正値を説明する為の図。
【図２８】第６の状態で２点がタッチされた場合に検出される電位の補正値を説明する為の図。
【図２９】２点間距離に係る値を説明する為の図。
【発明を実施するための形態】
【００１５】
［第１の実施形態］
本発明の一実施形態について図面を参照して説明する。  
図１は、本実施形態のタッチパネル装置２を表示装置１に装着した場合の概略側面図である。表示装置１は、画像表示領域９０ａに画像が表示される表示パネル９０と、この表示パネル９０の画像表示領域９０ａにタッチ検出領域１０ａが対向するように配置されたタッチパネル装置２と、により構成されている。ここで、タッチパネル装置２は、表示パネル９０に対して、ユーザが画像表示領域９０ａに表示される画像を観察する側に配置される。
【００１６】
前記表示パネル９０は、画像表示領域９０ａに複数の画素が配列されているものであり、例えばアクティブマトリクス型の液晶表示パネル９０である。アクティブマトリクス型の液晶表示パネル９０は、予め定めた間隙を設けて対向配置され、周縁部において枠状のシール材９４を介して接合されたガラス等からなる透明な一対の基板９２，９３を有する。また、一対の基板９２，９３は、一対の偏光板９５，９６によって挟持されている。以後において、一対の基板９２，９３のうち、タッチパネル装置２に近い側に配置される基板を観察側基板９２として、また、タッチパネル装置２から遠い側に配置される基板を裏面側基板９３として、表記する。更に、一対の偏光板９５，９６のうち、タッチパネル装置２に近い側に配置される偏光板を観察側偏光板９５として、また、タッチパネル装置２から遠い側に配置される偏光板を裏面側偏光板９６として表記する。
【００１７】
そして、観察側基板９２の裏面側基板９３と対向する面には、酸化インジウム錫（ＩＴＯ）などの透明な導電材料からなる一枚膜状の共通電極が形成されている。また、裏面側基板９３の観察側基板９２と対向する面には、画素電極が共通電極に対向するように複数設けられている。各画素電極は、薄膜トランジスタに接続されている。そして、観察側基板９２と裏面側基板９３との間の間隙のうち、シール材９４により囲まれた領域には、液晶が封入されている。即ち、アクティブマトリクス型の液晶表示パネル９０は、薄膜トランジスタに接続された画素電極とこの画素電極に対向する共通電極との間に液晶層が設けられた画素が、画像表示領域９０ａに複数配列された構成になっている。そして、画素電極と共通電極との間の電位差が制御されることによって液晶の配向状態が変化し、これによって、表示パネル９０を通過する光の透過光量を画素毎に制御可能に構成されている。
【００１８】
ところで、液晶層の配向モードは、ツイステッドネマティック型、スーパーツイステッドネマティック型、非ツイストのホモジニアス型、垂直配向型、ベンド配向型の何れでもよい。また、液晶層として封入される液晶は、誘電率異方性が正のものであってもよいし負のものであってもよい。更には、強誘電性液晶であってもよいし、反強誘電性液晶であってもよい。また、表示パネル９０は、縦電界によって液晶の配向状態を制御するものに限らず横電界によって液晶の配向状態を制御するものであってもよい。更に、表示パネル９０は、液晶表示パネルに限らず、有機ＥＬ（エレクトロルミネッセンス）等を用いた表示パネルであってもよい。
【００１９】
タッチパネル装置２は、タッチ検出領域１０ａが設けられたタッチパネル１０と、タッチ検出領域１０ａへのタッチ位置を検出する駆動回路８０とを有している。  
タッチパネル１０は、透明な材料からなる一対の基板１１，１２を有している。ここで、以後は、一対の基板１１，１２のうち、表示パネル９０から遠い側に配置される基板を第１の基板１１として、また、表示パネル９０に近い側に配置される基板を第２の基板１２として表記する。
【００２０】
なお、タッチパネル１０は、表示パネル９０における観察側偏光板９５に対して第２の基板１２が透明な粘着材又は樹脂等からなる接着層９７により貼り合わされることによって、表示パネル９０と一体化されている。  
タッチパネル１０の構成について更に説明する。第１の基板１１は、例えば矩形形状に形成されたガラス板又は樹脂フィルム等である。第２の基板１２は、例えば第１の基板１１とほぼ同じ大きさの矩形形状に形成されたガラス板等である。
【００２１】
図２に示すように、第２の基板１２は、第１の基板１１と対向する面に、例えば酸化インジウム錫（ＩＴＯ）からなる透明な第２の抵抗膜１４が形成されている。  
一方、第１の基板１１は、第２の基板１２と対向する面に、透明な絶縁材料からなる複数の突起部１５が形成されている。複数の突起部１５は、基板平面において直交する２方向の何れの方向においても突起部１５の配置間隔が間隔Ｐ１で等間隔になるように（ただし、後述するスペーサ１７が配置される位置を除く）、タッチ検出領域１０ａに対応させてマトリクス状に配列されている。また、複数の突起部１５の高さは、互いに等しくなるように形成されている。  
そして、第１の基板１１上には、これら複数の突起部１５を覆うようにして、例えば酸化インジウム錫（ＩＴＯ）からなる透明な第１の抵抗膜１３が形成されている。
【００２２】
ここで、第１の抵抗膜１３と第２の抵抗膜１４は、タッチ検出領域１０ａよりも広い範囲にわたって形成されている。  
また、第１の基板１１には、第１の抵抗膜１３上に透明な絶縁材料からなる複数のスペーサ１７が形成されている。複数のスペーサ１７は、配置間隔Ｐ２が突起部１５の配置間隔Ｐ１の整数倍になるように、且つ、それぞれのスペーサ１７が隣接する２つの突起部１５の中間に位置するように、マトリクス状に配列されている。
【００２３】
換言すると、第１の抵抗膜１３下に原則的には間隔Ｐ１毎に突起部１５が配置されるが、例外的に間隔Ｐ２毎に突起部１５が配置されず、代わりにその位置に、第１の抵抗膜１３上ではあるが、１つのスペーサ１７が配置されている。
【００２４】
なお、複数のスペーサ１７の高さは、互いに等しくなるように形成されているとともに、突起部１５の高さよりも高く形成されている。従って、第１の基板１１に対して第２の基板を、第１の抵抗膜１３と第２の抵抗膜１４とが対向するように重ね合わせると、スペーサ１７の頂部が第２の抵抗膜１４に接触する。このため、スペーサ１７によって、これら２枚の基板が互いに平行な状態に保たれる。またこのとき、第２の抵抗膜１４は、突起部１５の頂部を覆う領域の第１の抵抗膜１３との間に、突起部１５の高さとスペーサ１７の高さの差に応じたギャップΔｄが形成される。
【００２５】
そして、第１の基板１１と第２の基板１２は、タッチ検出領域を囲むように枠状に塗布されたシール材１０ｂによって、上述のような状態になるように貼り合わされている。なお、枠状のシール材１０ｂによって囲まれることで形成された空間には、絶縁性の液体２０が満たされている。この絶縁性の液体２０は、前記空間と、第１の基板１１、第２の基板１２、第１の抵抗膜１３、及び第２の抵抗膜１４との間の光の屈折率の差を小さくするためのものである。前記空間と、第１の基板１１、第２の基板１２、第１の抵抗膜１３、及び第２の抵抗膜１４との間の光の屈折率の差は、空気と第１の基板１１、第２の基板１２、第１の抵抗膜１３、及び第２の抵抗膜１４との間の光の屈折率の差よりも小さい。例えば絶縁性の液体２０と基板１１，１２との間の光の屈折率の差は、０．１以下となることが好ましい。
【００２６】
ところで、第１の基板１１と第２の基板１２は、互いの対向面にベースコートとして予めＳｉＯ２膜を成膜しておくことが好ましい。即ち、第２の基板１２における第１の基板１１と対向する面には、ベースコートとしてＳｉＯ２膜を成膜した後に第２の抵抗膜１４を形成することが好ましい。また、第１の基板１１における第２の基板１２と対向する面には、ベースコートとしてＳｉＯ２膜を成膜した後に突起部１５を形成することが好ましい。
【００２７】
この様な構成により、当該タッチパネル１０においては、外面側から第１の基板１１がタッチにより押圧されると、押圧された位置に対応する領域の第１の基板１１が第２の基板１２側に向かって撓み、この領域に位置する第１の抵抗膜１３が突起部１５の頂部で第２の抵抗膜１４に接触する。その結果、第１の抵抗膜１３と第２の抵抗膜１４は、押圧された位置に対応する領域で電気的に導通する。そして、駆動回路８０は、この電気的導通に基づいて、後に詳述するようにして、押圧（タッチ）された位置を検出する。
【００２８】
図３に示すように平面形状が矩形形状に形成されたタッチパネル１０の各辺のうち、左右方向に延伸する辺と平行な方向をＸ軸方向、上下方向に延伸する辺と平行な方向をＹ軸方向として以下説明する。
【００２９】
第１の抵抗膜１３には、Ｘ軸方向の両端にＹ軸方向に沿う帯状の低抵抗な電極が形成されている。即ち、第１の抵抗膜１３には、Ｘ軸方向の一方の縁部（紙面左側）に帯状の左端電極１８ａが第１のＸ軸電極として形成され、Ｘ軸方向の他方の縁部（紙面右側）に帯状の右端電極１８ｂが第２のＸ軸電極として形成されている。左端電極１８ａと右端電極１８ｂとにおけるＹ軸方向の長さは、第１の抵抗膜１３のＹ軸方向の長さに等しい。
【００３０】
また、第２の抵抗膜１４には、Ｙ軸方向の両端にＸ軸方向に沿う帯状の低抵抗な電極が形成されている。即ち、第２の抵抗膜１４には、Ｙ軸方向の一方の縁部（紙面上側）に帯状の上端電極１９ａが第１のＹ軸電極として形成され、Ｙ軸方向の他方の縁部（紙面下側）に帯状の下端電極１９ｂが第２のＹ軸電極として形成されている。上端電極１９ａと下端電極１９ｂとにおけるＸ軸方向の長さは、第２の抵抗膜１４のＸ軸方向の長さに等しい。
【００３１】
左端電極１８ａは、端子ＸＬを介して駆動回路８０に接続されている。右端電極１８ｂは、端子ＸＲを介して駆動回路８０に接続されている。上端電極１９ａは、端子ＹＵを介して駆動回路８０に接続されている。下端電極１９ｂは、端子ＹＤを介して駆動回路８０に接続されている。
【００３２】
駆動回路８０は、定電圧源３２、定電流源３３、電位計測部３４、制御部３５、及びメモリ等の記憶部３７を有している。  
定電圧源３２及び定電流源３３は、端子ＸＲを介して右端電極１８ｂに、又は端子ＹＵを介して上端電極１９ａに電圧又は電流を供給する電源である。また、電位計測部３４は、端子ＸＬを介して左端電極１８ａの、端子ＸＲを介して右端電極１８ｂの、端子ＹＵを介して上端電極１９ａの、又は端子ＹＤを介して下端電極１９ｂの電位を計測するための電位計である。電位計測部３４は、例えばＡ／Ｄ変換器であり、電位のデジタル値を制御部３５に出力する。制御部３５は、タッチパネル装置２の全体を制御するものであり、また、タッチされた位置の検出のための演算を行う演算部としても機能する。記憶部３７は、後に説明する「ＹＵ接地テーブル５２」、「ＹＤ接地テーブル５４」等が予め記憶されているものである。
【００３３】
次に、本実施形態に係るタッチパネル装置２の動作について説明する。タッチパネル１０は、外面側から第１の基板１１が指先９９等でタッチされることによって押圧されると、図４に示すように、押圧された位置に対応する領域の第１の基板１１が第２の基板１２側に向かって撓む。このとき、この領域に位置する第１の抵抗膜１３が突起部１５の頂部で第２の抵抗膜１４に接触する。その結果、第１の抵抗膜１３と第２の抵抗膜１４は、押圧された位置に対応する領域で電気的に導通する。
【００３４】
なお、図４においては、説明しやすいように、突起部１５等の縮尺が実際とは異なり大きく強調されている。また、図４においては、指先によって第１の基板１１が押圧される事で、１つの突起部１５上で、第１の抵抗膜１３が第２の抵抗膜１４に対して接触する図となっているが、１箇所が押圧されたときに互いに隣接した複数の突起部１５上で、第１の抵抗膜１３が第２の抵抗膜１４に対して接触する場合も、以降の説明は同じである。
【００３５】
以下、タッチされた位置の検出方法について図５に示すフローチャートを参照して説明する。本実施形態の検出方法では、タッチ検出領域に対して１点がタッチされたか、２点が同時にタッチされたかを判定することができる。更に、２点が同時にタッチされた場合に、その２点間の距離情報、特に２点間の距離の変化情報をも検出することができる。ここで、２点間の距離の変化情報とは、同時にタッチされた２点間の距離が、以前より広がったか狭まったかを表す情報である。即ち、本実施形態の検出方法では、第１の抵抗膜１３と第２の抵抗膜１４との間の接触状態として１点が接触しているのか、２点が同時に接触しているのかを判定することができる。更に、２点が同時に接触している場合に、その２点間の距離情報をも検出することができる。
【００３６】
まず、ステップＳ１において、制御部３５は、２点間の距離の変化情報を導出する際に用いるフラグとしての変数Ｍｕｌｔｉに「０」を代入する。  
次に、ステップＳ２において、制御部３５は、図６に示す様に、端子ＸＬを接地し、端子ＸＲに定電圧源３２を接続して電圧を印加する。また同時に、端子ＹＤには何も接続せず、端子ＹＵに電位計測部３４を接続する。この状態を第１の状態と呼ぶことにする。即ち、第１の状態では、第１の抵抗膜１３のＸ軸方向の一方の端１８ａと反対方向の端１８ｂとの間に電圧が印加され、且つ、第２の抵抗膜１４のＹ軸方向における一方の端１９ｂが開放された状態になっている。そして、電位計測部３４は、第２の抵抗膜１４のＹ軸方向における他方端１９ａでの電位を計測可能に接続されている。
【００３７】
上記の通り、例えば左端電極１８ａは、第１の端領域として機能する。例えば右端電極１８ｂは、第２の端領域として機能する。例えば下端電極１９ｂは、第３の端領域として機能する。例えば上端電極１９ａは、第４の端領域として機能する。
【００３８】
ここで、第１の抵抗膜１３のＸ軸方向について、左端電極１８ａが設置されている側の端のＸ座標の値を０、右端電極１８ｂが設置されている側の端のＸ座標の値を１、１点がタッチされた場合の当該タッチされた位置のＸ座標の値をｘ、第１の抵抗膜１３のＸ軸方向の両端間の抵抗値をｒｘ、電位計測部３４の内部抵抗値をＲとする。第１の状態において、定電圧源３２によって第１の抵抗膜１３のＸ軸方向の両端間に印加する電圧をＶ０とすると、電位計測部３４が計測する電位Ｖ（ｘ）は、ｒｘ≪Ｒであるため、
Ｖ（ｘ）＝Ｖ０・ｘ    ・・・（１）  
で表すことができる。この様にして、第１の状態では、タッチ位置が一点のみであれば、電位計測部３４により計測される電位Ｖ（ｘ）に基づいて、このタッチされた１点のＸ座標の値が検出され得る。
【００３９】
本実施形態の説明では、以後、例として、タッチパネル１０のタッチ検出領域１０ａをＸ軸方向に６区画（Ｘ１−Ｘ６）、Ｙ軸方向に８区画（Ｙ１−Ｙ８）に区切ったマトリクスによって表される座標を用いて説明する。なお、Ｘ軸方向において、Ｘ１を左端電極１８ａ側とし、Ｘ６を右端電極１８ｂ側とする。また、Ｙ軸方向において、Ｙ１を上端電極１９ａ側とし、Ｙ８を下端電極１９ｂ側とする。そして、この例では、定電圧源３２の電圧を５．０Ｖとしたときに計測される電位の例を示しながら説明する。
【００４０】
前記第１の状態においてタッチ検出領域１０ａに対して１点のみがタッチされた場合の、タッチ位置と電位計測部３４によって計測される電位との関係の例を図７に示す。図７に示す通り、Ｘ軸方向に対しては、タッチ位置に応じて互いに異なる電位を検出することができるため、１点のみがタッチされるのであれば、電位計測部３４によって計測される電位によって、制御部３５は、タッチされた位置のＸ座標の値を確定することができる。
【００４１】
しかし、前記第１の状態で同時に２点がタッチされた場合、電位計測部３４によって計測される電位は、図７と同様な電位が計測されるため、この段階では、制御部３５は、１点のみがタッチされたのか２点がタッチされたのかが確定できない。従って、この段階では、実際には１点のみがタッチされていた場合であっても、制御部３５は、タッチされた位置のＸ座標の値を確定することができない。
【００４２】
即ち、前記第１の状態で同時に２点がタッチされた場合、電位計測部３４によって計測される電位は、タッチされた２点の中間の位置の１点のみがタッチされたときの電位と等しくなるため、この段階では、制御部３５は、１点がタッチされたのか２点がタッチされたのかを確定できない。例えば、座標（Ｘ５、Ｙ１）と座標（Ｘ３，Ｙ７）の２点が同時にタッチされた場合、電位計測部３４によって計測される電位は、Ｘ４に対応する１点のみがタッチされたときと同じ２．９Ｖとなる。
【００４３】
ところで、ステップＳ２において、制御部３５は、１点がタッチされたか２点が同時にタッチされたかに関わらず、第１の状態で電位計測部３４によって計測される電位Ｖ（Ｘ０）を取得する。そして、制御部３５は、取得した電位Ｖ（Ｘ０）と前記式（１）とに基づいてＸ座標の値Ｘ０を第１の参照データとして導出する。ここでＸ０は、１点がタッチされていた場合は当該タッチされた位置のＸ座標の値を、２点が同時にタッチされていた場合は当該タッチされた２点の中間の位置におけるＸ座標の値を示すことになる。
【００４４】
ここで、Ｘ座標の値Ｘ０は、必ずしも前記式（１）と取得した電位Ｖ（Ｘ０）とに基づいて求めなくとも良い。即ち、図７に示したような第１の状態においてタッチ検出領域１０ａに対して１点のみがタッチされた場合の、タッチ位置と電位計測部３４によって計測される電位との関係を、第１状態タッチテーブル４２として予め取得し、このテーブルを記憶部３７に記憶させておく。そして、制御部３５が、この記憶部３７に記憶されている第１状態タッチテーブル４２を参照して、取得した電位Ｖ（Ｘ０）に基づきＸ座標の値Ｘ０を導出する構成としてもよい。
【００４５】
次にステップＳ３において、制御部３５は、図８に示す様に、端子ＹＵに定電圧源３２を接続して５Ｖの電圧を印加し、端子ＹＤを接地する。また同時に、端子ＸＬには何も接続せず、端子ＸＲに電位計測部３４を接続する。この状態を第２の状態と呼ぶことにする。即ち、第２の状態では、第２の抵抗膜１４のＹ軸方向の一方の端１９ａと反対方向の端１９ｂとの間に電圧が印加され、且つ、第１の抵抗膜１３におけるＸ軸方向の一方端１８ａが開放された状態になっている。そして、電位計測部３４は、第１の抵抗膜１３のＸ軸方向における他方の端１８ｂでの電位を計測可能に接続されている。
【００４６】
ここで、第１の抵抗膜１３のＹ軸方向について、上端電極１９ａが設置されている側の端のＹ座標の値を０、下端電極１９ｂが設置されている側の端のＹ座標の値を１、１点がタッチされた場合の当該タッチされた位置のＹ座標の値をｙ、第１の抵抗膜１３のＹ軸方向の両端間の抵抗値をｒｙ、電位計測部３４の内部抵抗値をＲとする。第２の状態において、定電圧源３２によって第１の抵抗膜１３のＹ軸方向の両端間に印加する電圧をＶ０とすると、電位計測部３４が計測する電位Ｖ（ｙ）は、ｒｙ≪Ｒであるため、
Ｖ（ｙ）＝Ｖ０・ｙ    ・・・（２）  
で表すことができる。この様にして、第２の状態では、タッチ位置が一点のみであれば、電位計測部３４により計測される電位に基づいて、このタッチされた１点のＹ座標の値が検出され得る。
【００４７】
第２の状態においてタッチ検出領域１０ａに対して１点のみがタッチされた場合の、図７と同様なタッチした位置と電位計測部３４によって計測される電位との関係の例を図９に示す。図９に示す通り、Ｙ軸方向に対しては、タッチ位置に応じて互いに異なる電位を検出することができるため、１点のみがタッチされるのであれば、電位計測部３４によって計測される電位によって、制御部３５は、タッチされた位置のＹ座標の値を確定することができる。
【００４８】
しかし、前記第２の状態で同時に２点がタッチされた場合、電位計測部３４によって計測される電位は、図９と同様な電位が計測されるため、この段階では、制御部３５は、１点のみがタッチされたのか２点がタッチされたのかが確定できない。従って、この段階では、実際には１点のみがタッチされていた場合であっても、制御部３５は、タッチされた位置のＹ座標位置を確定することができない。
【００４９】
即ち、前記第２の状態で同時に２点がタッチされた場合、電位計測部３４によって計測される電位は、タッチされた２点の中間の位置の１点のみがタッチされたときの電位と等しくなるため、この段階では、制御部３５は、１点がタッチされたのか２点がタッチされたのかが確定できない。例えば、座標（Ｘ５、Ｙ１）と座標（Ｘ３，Ｙ７）の２点が同時にタッチされた場合、電位計測部３４によって計測される電位は、Ｙ４に対応する１点のみがタッチされたときと同じ２．８Ｖとなる。
【００５０】
ところで、ステップＳ３において、制御部３５は、１点がタッチされたか２点が同時にタッチされたかに関わらず、第２の状態で電位計測部３４によって計測される電位Ｖ（Ｙ０）を取得する。そして、制御部３５は、取得した電位Ｖ（Ｙ０）と前記式（２）とに基づいてＹ座標の値Ｙ０を第２の参照データとして導出する。ここでＹ０は、１点がタッチされていた場合は当該タッチされた位置のＹ座標を、２点が同時にタッチされていた場合は当該タッチされた２点の中間の位置におけるＹ座標の値を示すことになる。
【００５１】
ここで、Ｙ座標の値Ｙ０は、必ずしも前記式（２）と取得した電位Ｖ（Ｙ０）とに基づいて求めなくとも良い。即ち、図９に示したような第２の状態においてタッチ検出領域１０ａに対して１点のみがタッチされた場合の、タッチ位置と電位計測部３４によって計測される電位との関係を、第２状態タッチテーブル４４として予め取得し、このテーブルを記憶部３７に記憶させておく。そして、制御部３５が、この記憶部３７に記憶されている第２状態タッチテーブル４４を参照して、取得した電位Ｖ（Ｙ０）に基づきＹ座標の値Ｙ０を導出する構成としてもよい。
【００５２】
次にステップＳ４において、制御部３５は、図１０に示す様に、端子ＸＲに定電圧源３２を接続して５Ｖの電圧を印加し、端子ＸＬを接地する。また同時に、端子ＹＵを接地し、端子ＹＤに電位計測部３４を接続する。この状態を第３の状態と呼ぶことにする。即ち、第３の状態では、第１の抵抗膜１３のＸ軸方向における一方端１８ａと第２の抵抗膜１４のＹ軸方向における他方端１９ａとの間が短絡され、且つ、第１の抵抗膜１３のＸ軸方向における両端１８ａ，１８ｂ間に前記電圧が印加される状態になっている。そして、電位計測部３４は、第２の抵抗膜１４のＹ軸方向における一方端１９ｂでの電位を計測可能に接続されている。
【００５３】
第３の状態においてタッチ検出領域１０ａに対して１点のみがタッチされた場合の、図７と同様なタッチした位置と電位計測部３４によって計測される電位との関係の例を図１１に示す。図１１に示した関係を、「ＹＵ接地テーブル５２」と呼ぶことにする。本実施形態では、このＹＵ接地テーブル５２を予め取得して記憶部３７に記憶させている。なお、端子ＸＬと端子ＹＵが接地されているので、ＹＵ接地テーブル５２は、Ｘ１の列側及びＹ１の行側の電位が低く、（Ｘ６，Ｙ８）側の電位が高い値となっている。  
ステップＳ４においては、１点のみがタッチされた場合は、タッチされた位置に応じて前記ＹＵ接地テーブル５２に示した電位が、電位計測部３４によって計測されることになる。
【００５４】
一方２点がタッチされた場合は、以下の様な電位が計測されることになる。即ち、例えば、ステップＳ１で２．９Ｖが検出され、ステップＳ３で２．８Ｖが検出される、座標（Ｘ５、Ｙ１）と座標（Ｘ３，Ｙ７）の２点が同時にタッチされた場合、１．１Ｖが検出される。
【００５５】
ここでの具体例の場合、２点が同時にタッチされることにより、ステップＳ２で２．９Ｖが検出され、ステップＳ３で２．８Ｖが検出されることになるタッチ位置は１７組である。１７組のタッチされた位置と電位計測部３４によって計測される電位との関係を図１２に示す。図１２において、同時にタッチされる２点には、同じ値を記している。例えば、図１２は、座標（Ｘ２，Ｙ６）と座標（Ｘ６，Ｙ２）が同時にタッチされると、ステップＳ４では１．０Ｖが検出されることを意味している。また例えば、座標（Ｘ３，Ｙ３）と座標（Ｘ５，Ｙ５）が同時にタッチされると、ステップＳ４では１．７Ｖが検出されることを意味している。この図に示す通り、ステップＳ２で２．９Ｖが検出され、ステップＳ３で２．８Ｖが検出される場合でも、ステップＳ４では、同時にタッチされる２点の組合せによって、電位計測部３４によって計測される電位は異なる。  
ところで、ステップＳ４において、制御部３５は、１点がタッチされたか２点が同時にタッチされたかに関わらず、第３の状態で電位計測部３４によって計測される電位Ｖ（Ｓ４）を取得する。
【００５６】
次にステップＳ５において、制御部３５は、記憶部３７から上述した「ＹＵ接地テーブル５２」を読み出す。そして、制御部３５は、ステップＳ２で求めた第１の参照データとしてのＸ０とステップＳ３で求めた第２の参照データとしてのＹ０とに基づき、ＹＵ接地テーブル５２の座標（Ｘ０，Ｙ０）の値であるＶＹＵ（Ｘ０，Ｙ０）と、ステップＳ４で取得したＶ（Ｓ４）を比較する。ＶＹＵ（Ｘ０，Ｙ０）とＶ（Ｓ４）の差が、予め定めた第１の閾値より大きければ、制御部３５は、処理をステップＳ９に移す。一方、ＶＹＵ（Ｘ０，Ｙ０）とＶ（Ｓ４）の差が予め定めた第１の閾値以下であれば、制御部３５は、処理をステップＳ６に移す。
【００５７】
例えば、前記第１の閾値を０．４とする。図１１に示した例では、ＶＹＵ（Ｘ４，Ｙ４）＝１．０Ｖである。図１３において○印を付した座標がタッチされた場合には、Ｖ（Ｓ４）が１．５Ｖ以上になり、従って、差が前記第１の閾値よりも大きくなるため、処理がステップＳ９に移ることになる。一方、図１３において×印を付した座標がタッチされた場合には、Ｖ（Ｓ４）が０．６Ｖ以上１．４Ｖ以下であるので、従って、差が前記第１の閾値以下になるため、処理がステップＳ６に移ることになる。この例では、第１の閾値を０．４としたが、この値は使用するタッチパネルによって調整される。
【００５８】
次にステップＳ６において、制御部３５は、図１４に示す様に、端子ＸＲに定電圧源３２を接続して５Ｖの電圧を印加し、端子ＸＬを接地する。また同時に、端子ＹＤを接地し、端子ＹＵに電位計測部３４を接続する。この状態を第４の状態と呼ぶことにする。即ち、第４の状態では、第１の抵抗膜１３のＸ軸方向における一方端１８ａと第２の抵抗膜１４のＹ軸方向における一方端１９ｂとの間が短絡され、且つ、第１の抵抗膜１３のＸ軸方向における両端１８ａ，１８ｂ間に電圧が印加される状態になっている。そして、電位計測部３４は、第２の抵抗膜１４のＹ軸方向における他方端１９ａでの電位を計測可能に接続されている。
【００５９】
第４の状態においてタッチ検出領域１０ａに対して１点のみがタッチされた場合の、図１１の「ＹＵ接地テーブル５２」と同様なタッチした位置と電位計測部３４によって計測される電位との関係の例を図１５に示す。図１５に示した関係を、「ＹＤ接地テーブル５４」と呼ぶことにする。本実施形態では、このＹＤ接地テーブル５４を予め取得して記憶部３７に記憶させている。  
ステップＳ６においては、１点のみがタッチされた場合は、タッチされた位置に応じて前記ＹＤ接地テーブル５４に示した電位が、電位計測部３４によって計測されることになる。
【００６０】
一方、２点がタッチされた場合は、以下の様な電位が計測されることになる。即ち、例えば、ステップＳ２で２．９Ｖが検出され、ステップＳ３で２．８Ｖが検出される、座標（Ｘ５，Ｙ１）と座標（Ｘ３，Ｙ７）の２点が同時にタッチされた場合、２．１Ｖが検出される。
【００６１】
ここでの具体例の場合、２点が同時にタッチされることにより、ステップＳ２で２．９Ｖが検出され、ステップＳ３で２．８Ｖが検出されることになるタッチ位置は１７組である。１７組のタッチされた位置と電位計測部３４によって計測される電位との関係を図１６に示す。図１６において、同時にタッチされる２点には、同じ値を記している。例えば、図１６は、座標（Ｘ２，Ｙ６）と座標（Ｘ６，Ｙ２）が同時にタッチされると、ステップＳ６では２．２Ｖが検出されることを意味している。また例えば、座標（Ｘ３，Ｙ３）と座標（Ｘ５，Ｙ５）が同時にタッチされると、ステップＳ６では１．６Ｖが検出されることを意味している。この図に示す通り、ステップＳ２で２．９Ｖが検出され、ステップＳ３で２．８Ｖが検出される場合でも、ステップＳ６では、同時にタッチされる２点の組合せによって、電位計測部３４によって計測される電位は異なる。  
ところで、ステップＳ６において、制御部３５は、１点がタッチされたか２点が同時にタッチされたかに関わらず、第４の状態で電位計測部３４によって計測される電位Ｖ（Ｓ６）を取得する。
【００６２】
次にステップＳ７において、制御部３５は、記憶部３７から上述した「ＹＤ接地テーブル５４」を読み出す。そして、制御部３５は、ステップＳ２で求めた第１の参照データとしてのＸ０とステップＳ３で求めた第２の参照データとしてのＹ０とに基づき、ＹＤ接地テーブル５４の座標（Ｘ０，Ｙ０）の値であるＶＹＤ（Ｘ０，Ｙ０）と、ステップＳ６で取得したＶ（Ｓ６）を比較する。ＶＹＤ（Ｘ０，Ｙ０）とＶ（Ｓ６）の差が、予め定めた第２の閾値より大きければ、制御部３５は、処理をステップＳ９に移す。一方、ＶＹＤ（Ｘ０，Ｙ０）とＶ（Ｓ６）の差が第２の閾値以下であれば、制御部３５は、処理をステップＳ８に移す。
【００６３】
例えば、前記第２の閾値を０．６とする。図１５に示した例では、ＶＹＤ（Ｘ４，Ｙ４）＝１．２Ｖである。図１７に○印を付した座標がタッチされた場合には、Ｖ（Ｓ６）が１．９Ｖ以上になり、従って、差が前記第２の閾値よりも大きくなるため、処理がステップＳ９に移ることになる。一方、図１７に×印を付した座標がタッチされた場合には、Ｖ（Ｓ６）が０．６Ｖ以上１．８Ｖ以下であるので、従って、差が前記第２の閾値以下になるため、処理がステップＳ８に移ることになる。この例では、第２の閾値を０．６としたが、この値は使用するタッチパネルによって調整される。
【００６４】
前記の通り、ステップＳ８に移るのは、ステップＳ５においてＶ（Ｓ４）とＶＹＵ（Ｘ０，Ｙ０）の値が近いと判定され、且つ、ステップＳ７においてＶ（Ｓ６）とＶＹＤ（Ｘ０，Ｙ０）の値が近いと判定された場合である。そして、制御部３５は、ステップＳ８において、このような場合をタッチ検出領域に対して１点のみがタッチされたシングルタッチであると判定する。ここで、タッチ検出領域に対して１点のみがタッチされていた場合のタッチ位置は、Ｘ座標位置がステップＳ２で第１の参照データＸ０として導出済みであり、また、Ｙ座標位置がステップＳ３で第２の参照データＹ０として導出済みである。
【００６５】
従って、ステップＳ８において、制御部３５は、シングルタッチである旨と、タッチ位置として座標（Ｘ０，Ｙ０）に係る情報とを含む信号を、当該タッチパネル装置２での検出値として出力する。その後制御部３５は、処理をステップＳ１に戻す。なお、検出値は、例えば表示装置１が組み込まれている電子機器の制御装置に対して出力される。この検出値を取得した制御装置は、タッチパネルが１点のみタッチされたとして、シングルタッチに対応した所定の処理を実行することができる。
【００６６】
一方、ステップＳ９に移るのは、ステップＳ５とステップＳ７とを順に経てシングルタッチであると判定できないものであり、このような場合は、２点が同時にタッチされたと判定する。そして、制御部３５は、ステップＳ９において、このような場合をタッチ検出領域に対して２点がタッチされたマルチタッチであると判定するとともに、同時にタッチされた２点間の距離の導出を開始する。
【００６７】
ステップＳ９において、制御部３５は、図１８に示す様に、端子ＹＵに定電流源３３を接続し、端子ＹＤを接地する。また同時に、端子ＸＬと端子ＸＲとの間を短絡させ、そこに電位計測部３４を接続する。この状態を第５の状態と呼ぶことにする。即ち、第５の状態では、第１の抵抗膜１３のＸ軸方向における両端１８ａ，１８ｂ間が短絡され、且つ、第２の抵抗膜１４のＹ軸方向における両端１９ａ，１９ｂ間に電流が供給される状態になっている。そして、電位計測部３４は、第１の抵抗膜１３のＸ軸方向における両端１８ａ，１８ｂでの電位を計測可能に接続されている。
【００６８】
なお、ここでは、定電流源３３は１０ｍＡの電流を供給するものとして以下具体的に説明する。  
図１９は、タッチ検出領域１０ａに対して、２点がタッチされているときの第５の状態をより詳細な等価回路として示した図である。図１９において、破線で囲まれた領域がタッチ検出領域１０ａに対応している、即ち、破線で囲まれた領域が第１の抵抗膜１３及び第２の抵抗膜１４が形成された領域に対応している。
【００６９】
ここで、端子ＹＵから第２の抵抗膜１４までの抵抗値をＲ１、端子ＹＤから第２の抵抗膜１４までの抵抗値をＲ５とする。また、端子ＸＲから第１の抵抗膜１３までの抵抗値をＲ１１、端子ＸＬから第１の抵抗膜１３までの抵抗値をＲ１２とする。即ち、Ｒ１、Ｒ５、Ｒ１１及びＲ１２は、タッチ検出領域１０ａ以外における配線抵抗等を示しており、タッチパネル毎に固有の定数である。
【００７０】
また、図１９において、ノードＮａ１は、タッチされている２点のうちの一方の点における第２の抵抗膜１４上の点を示している。また、ノードＮｂ１は、タッチされている２点のうちの一方の点における第１の抵抗膜１３上の点を示している。従って、抵抗値Ｒ６は、タッチされている２点のうちの一方の点における第２の抵抗膜１４と第１の抵抗膜１３との間の接触抵抗を示している。
【００７１】
また、ノードＮａ２は、タッチされている２点のうちの他方の点における第２の抵抗膜１４上の点を示している。また、ノードＮｂ２は、タッチされている２点のうちの他方の点における第１の抵抗膜１３上の点を示している。従って、抵抗値Ｒ７は、タッチされている２点のうちの他方の点における第２の抵抗膜１４と第１の抵抗膜１３との間の接触抵抗を示している。
【００７２】
そして、第２の抵抗膜１４のＹ軸方向の抵抗は、タッチされた２点を境にして抵抗値を３分割した等価回路として示すことができる。即ち、タッチされている２点のうちの一方の点から上端電極１９ａまでの抵抗値Ｒ２と、タッチされている２点のうちの他方の点から下端電極１９ｂまでの抵抗値Ｒ４と、タッチされている２点間の抵抗値Ｒ３と、に分割して示すことができる。
【００７３】
また、第１の抵抗膜１３のＸ軸方向の抵抗は、タッチされている２点間の抵抗値をＲ８として、タッチされている２点のうち右端電極１８ｂに近いほうのタッチ点から右端電極１８ｂまでの抵抗値をＲ９として、タッチされている２点のうち左端電極１８ａに近いほうのタッチ点から右端電極１８ｂまでの抵抗値をＲ１０として、それぞれ示される。
【００７４】
ここで、Ｒ６及びＲ７は、第１の抵抗膜１３と第２の抵抗膜１４との間の接触抵抗を示しているため、タッチされている２点間の距離に応じてはその値は変化しない。一方、Ｒ２，Ｒ３，Ｒ４，Ｒ８，Ｒ９及びＲ１０は、タッチされている２点間の距離に応じてその値が変化する。例えば、タッチされている２点間の距離が遠くなるにつれて、Ｒ３及びＲ８はその値が増大し、Ｒ２，Ｒ４，Ｒ９及びＲ１０はその値が減少する。換言すると、タッチされている２点間の距離が近くなるにつれて、Ｒ３及びＲ８はその値が減少し、Ｒ２，Ｒ４，Ｒ９及びＲ１０はその値が増大する。
【００７５】
ところで、第５の状態では、電源に定電流源３３を用いているため、Ｒ４及びＲ５に流入する電流量は一定である。このため、電位計測部３４によって計測される電位の変化に対して、支配的に貢献するのは、Ｒ９及びＲ１０での値の変化である。従って、第５の状態で、電位計測部３４によって計測される電位の変化を計測することにより、Ｒ９及びＲ１０での値の変化、即ち、タッチされた２点のＸ軸方向の距離の変化を検出することができる。
【００７６】
この第５の状態において、タッチされた２点の中間の位置が例えば（Ｘ４，Ｙ４）になるように２点がタッチされた場合は、以下の様な電位が計測されることになる。即ち、例えば、ステップＳ２で２．９Ｖが検出され、ステップＳ３で２．８Ｖが検出される、座標（Ｘ５，Ｙ１）と座標（Ｘ３，Ｙ７）の２点が同時にタッチされた場合、２．５Ｖが検出される。
【００７７】
ここでの具体例の場合、２点が同時にタッチされることにより、ステップＳ２で２．９Ｖが検出され、ステップＳ３で２．８Ｖが検出されることになるタッチ位置は１７組である。１７組のタッチされた位置と電位計測部３４によって計測される電位との関係を図２０に示す。図２０において、同時にタッチされる２点には、同じ値を記している。例えば、図２０は、座標（Ｘ２，Ｙ６）と座標（Ｘ６，Ｙ２）が同時にタッチされると、ステップＳ９では２．０Ｖが検出されることを意味している。また例えば、座標（Ｘ３，Ｙ３）と座標（Ｘ５，Ｙ５）が同時にタッチされると、ステップＳ９では２．４Ｖが検出されることを意味している。この図に示す通り、ステップＳ２で２．９Ｖが検出され、ステップＳ３で２．８Ｖが検出される場合でも、ステップＳ９では、同時にタッチされる２点の組合せによって、特にＸ軸方向の２点間の距離によって、電位計測部３４によって計測される電位は異なる。  
即ち、このステップＳ９においては、制御部３５は、上述したような第５の状態で電位計測部３４によって計測される電位Ｖ（Ｘ）を取得する。
【００７８】
次にステップＳ１０において、制御部３５は、図２１に示す様に、端子ＸＲに定電流源３３を接続し、端子ＸＬを接地する。また同時に、端子ＹＵと端子ＹＤとの間を短絡させ、そこに電位計測部３４を接続する。この状態を第６の状態と呼ぶことにする。即ち、第６の状態では、第２の抵抗膜１４のＹ軸方向における両端１９ａ，１９ｂ間が短絡され、且つ、第１の抵抗膜１３のＸ軸方向における両端１８ａ，１８ｂ間に電流が供給される状態になっている。そして、電位計測部３４は、第２の抵抗膜１４のＹ軸方向における両端１９ａ，１９ｂでの電位を計測可能に接続されている。
【００７９】
図２２は、タッチ検出領域１０ａに対して、２点がタッチされているときの第６の状態をより詳細な等価回路として示した図である。図２２において、破線で囲まれた領域がタッチ検出領域１０ａに対応している、即ち、破線で囲まれた領域が第１の抵抗膜１３及び第２の抵抗膜１４が形成された領域に対応している。
【００８０】
そして、抵抗値Ｒ２６は、タッチされている２点のうちの一方の点における第２の抵抗膜１４と第１の抵抗膜１３との間の接触抵抗を示している。また、抵抗値Ｒ２７は、タッチされている２点のうちの他方の点における第２の抵抗膜１４と第１の抵抗膜１３との間の接触抵抗を示している。
【００８１】
更に、第１の抵抗膜１３のＸ軸方向の抵抗は、タッチされた２点を境にして抵抗値を３分割した等価回路として示すことができる。即ち、タッチされている２点のうちの一方の点から右端電極１８ｂまでの抵抗値Ｒ２２と、タッチされている２点のうちの他方の点から左端電極１８ａまでの抵抗値Ｒ２４と、タッチされている２点間の抵抗値Ｒ２３とに分割して示すことができる。
【００８２】
また、第２の抵抗膜１４のＹ軸方向の抵抗は、タッチされている２点間の抵抗値をＲ２８として、タッチされている２点のうち上端電極１９ａに近いほうのタッチ点から上端電極１９ａまでの抵抗値をＲ２９として、タッチされている２点のうち下端電極１９ｂに近いほうのタッチ点から下端電極１９ｂまでの抵抗値をＲ３０として、それぞれ示される。
【００８３】
ここで、Ｒ２６及びＲ２７は、第１の抵抗膜１３と第２の抵抗膜１４との間の接触抵抗を示しているため、タッチされている２点間の距離に応じてはその値は変化しないが、Ｒ２２，Ｒ２３，Ｒ２４，Ｒ２８，Ｒ２９及びＲ３０は、タッチされている２点間の距離に応じてその値が変化する。例えば、タッチされている２点間の距離が遠くなるにつれて、Ｒ２３及びＲ２８はその値が増大し、Ｒ２２，Ｒ２４，Ｒ２９及びＲ３０はその値が減少する。換言すると、タッチされている２点間の距離が近くなるにつれて、Ｒ２３及びＲ２８はその値が減少し、Ｒ２２，Ｒ２４，Ｒ２９及びＲ３０はその値が増大する。
【００８４】
ところで、第６の状態においても、電源に定電流源３３を用いているため、Ｒ２４及びＲ１２に流入する電流量は一定である。このため、電位計測部３４によって計測される電位の変化に対して、支配的に貢献するのは、Ｒ２９及びＲ３０での値の変化である。従って、第６の状態で、電位計測部３４によって計測される電位の変化を計測することにより、Ｒ２９及びＲ３０での値の変化、即ち、タッチされた２点のＹ軸方向の距離の変化を検出することができる。
【００８５】
この第６の状態において、タッチされた２点の中間の位置が例えば（Ｘ４，Ｙ４）になるように２点がタッチされた場合は、以下の様な電位が計測されることになる。即ち、例えば、ステップＳ２で２．９Ｖが検出され、ステップＳ３で２．８Ｖが検出される、座標（Ｘ５，Ｙ１）と座標（Ｘ３，Ｙ７）の２点が同時にタッチされた場合、３．０Ｖが検出される。
【００８６】
ここでの具体例の場合、２点が同時にタッチされることにより、ステップＳ２で２．９Ｖが検出され、ステップＳ３で２．８Ｖが検出されることになるタッチ位置は１７組である。１７組のタッチされた位置と電位計測部３４によって計測される電位との関係を図２３に示す。図２３において、同時にタッチされる２点には、同じ値を記している。例えば、図２３は、座標（Ｘ２，Ｙ６）と座標（Ｘ６，Ｙ２）が同時にタッチされると、ステップＳ１０では３．４Ｖが検出されることを意味している。また例えば、座標（Ｘ３，Ｙ３）と座標（Ｘ５，Ｙ５）が同時にタッチされると、ステップＳ９では３．６Ｖが検出されることを意味している。この図に示す通り、ステップＳ２で２．９Ｖが検出され、ステップＳ３で２．８Ｖが検出される場合でも、ステップＳ１０では、同時にタッチされる２点の組合せによって、特にＹ軸方向の２点間の距離によって、電位計測部３４によって計測される電位は異なる。  
即ち、このステップＳ１０においては、制御部３５は、上述したような第６の状態で電位計測部３４によって計測される電位Ｖ（Ｙ）を取得する。
【００８７】
次にステップＳ１１において、制御部３５は、変数Ｍｕｌｔｉが「１」であるか否かを判断する。変数Ｍｕｌｔｉが「１」でない場合、即ち、変数Ｍｕｌｔｉが「０」である場合、制御部３５は、処理をステップＳ１２に進める。  
ステップＳ１２において、制御部３５は、Ｖ（Ｘ）を一時記憶しておくための変数ＤｉｓＸに、ステップＳ９で取得したＶ（Ｘ）を代入する。  
次にステップＳ１３において、制御部３５は、Ｖ（Ｙ）を一時記憶しておくための変数ＤｉｓＹに、ステップＳ１０で取得したＶ（Ｙ）を代入する。  
続いてステップＳ１４において、制御部３５は、変数Ｍｕｌｔｉに「１」を代入し、ステップＳ２に戻る。
【００８８】
即ち、ステップＳ１１においてステップＳ１２に進むのは、本繰り返し処理の前回の処理におけるステップＳ４乃至ステップＳ７の判断において、１点がタッチされたと判断されて、変数ＤｉｓＸ及び変数ＤｉｓＹに値が入力されていないときである。
【００８９】
一方、ステップＳ１１において変数Ｍｕｌｔｉが「１」であると判断された場合、制御部３５は、処理をステップＳ１５に進める。  
ステップＳ１５において、制御部３５は、変数ＤｉｓＸとステップＳ９で取得したＶ（Ｘ）との差、即ち（ＤｉｓＸ−Ｖ（Ｘ））を、Ｘ軸方向の２点間の距離の変化を示す変数ｄｉｆｆＸに代入する。即ち、本繰り返し処理における前回の処理におけるＶ（Ｘ）と今回の処理におけるＶ（Ｘ）との差を、変数ｄｉｆｆＸに代入する。
【００９０】
次にステップＳ１６において、制御部３５は、ステップＳ１５と同様に、変数ＤｉｓＹとステップＳ１０で取得したＶ（Ｙ）との差、即ち（ＤｉｓＹ−Ｖ（Ｙ））を、Ｙ軸方向の２点間の距離の変化を示す変数ｄｉｆｆＹに代入する。即ち、本繰り返し処理における前回の処理におけるＶ（Ｙ）と今回の処理におけるＶ（Ｙ）との差を、変数ｄｉｆｆＹに代入する。
【００９１】
次にステップＳ１７において、制御部３５は、変数ＤｉｓＸにステップＳ９で取得したＶ（Ｘ）を代入する。  
次にステップＳ１８において、制御部３５は、変数ＤｉｓＹにステップＳ１０で取得したＶ（Ｙ）を代入する。  
次にステップＳ１９において、制御部３５は、変数ｄｉｆｆＸと変数ｄｉｆｆＹとのうち絶対値が大きい方の値を変数Ｃｈｇに代入する。即ち、変数Ｃｈｇは、Ｘ軸方向の２点間の距離の変化及びＹ軸方向の２点間の距離の変化のうち大きい方の値を示す。
【００９２】
次にステップＳ２０において、制御部３５は、マルチタッチである旨、並びに、座標（Ｘ０，Ｙ０）及びＣｈｇの情報を含む信号を、当該タッチパネル装置２での検出値として出力する。その後制御部３５は、処理をステップＳ２に戻す。
【００９３】
ここで、変数Ｃｈｇの値が正であることは、繰り返し処理における前回の処理から今回の処理の間に同時にタッチされた２点間の距離が広がっていることを示す。逆に、変数Ｃｈｇの値が負であることは、繰り返し処理における前回の処理から今回の処理の間に同時にタッチされた２点間の距離が狭まっていることを示す。また、変数Ｃｈｇの絶対値の大きさは、おおよそ繰り返し処理における前回の処理から今回の処理の間の２点間の距離の変化の量を示す。
【００９４】
ステップＳ２０において、検出値は、例えば表示装置１が組み込まれている電子機器の制御装置に対して出力される。この検出値を取得した制御装置は、タッチパネルが２点タッチされたとして、又は、タッチされた２点の位置が変化したものとして、マルチタッチに対応した所定の処理を実行することができる。
【００９５】
例えば、ステップＳ２で２．９Ｖが検出され、ステップＳ３で２．８Ｖが検出される、（Ｘ４，Ｙ４）を中心として、本繰り返し処理の最初の回では座標（Ｘ３，Ｙ５）と座標（Ｘ５，Ｙ３）の２点がタッチされており、２回目では座標（Ｘ３，Ｙ６）と座標（Ｘ５，Ｙ２）の２点がタッチされており、３回目では座標（Ｘ２，Ｙ７）と座標（Ｘ６，Ｙ１）の２点がタッチされている状態に変化していく場合、以下の様に動作する。
【００９６】
本繰り返し処理の最初の処理のステップＳ９において、２．５Ｖが、ステップＳ１０において３．６Ｖが取得される。ステップＳ１１における判断で変数Ｍｕｌｔｉ＝０なので、ステップＳ１２においてＤｉｓＸ＝２．５が、ステップＳ１３においてＤｉｓＹ＝３．６が代入される。そして、ステップＳ１４においてＭｕｌｔｉ＝１が代入される。
【００９７】
本繰り返し処理の２回目の処理のステップＳ９において、２．５Ｖが、ステップＳ１０において３．４Ｖが取得される。ステップＳ１１における判断で変数Ｍｕｌｔｉ＝１なので、ステップＳ１５においてｄｉｆｆＸ＝（２．５−２．５）＝０が、ステップＳ１６においてｄｉｆｆＹ＝（３．６−３．４）＝０．２がそれぞれ代入される。ステップＳ１９において、ｄｉｆｆＸ及びｄｉｆｆＹのうち絶対値が大きい方である０．２が変数Ｃｈｇに代入される。ステップＳ２０において、タッチされた２点の中点の座標である（Ｘ４，Ｙ４）、及びＣｈｇ＝０．２が出力される。ここでＣｈｇが正の値であることは、２点間距離が拡大したことを示している。
【００９８】
本繰り返し処理の３回目の処理のステップＳ９において、２．０Ｖが、ステップＳ１０において３．０Ｖが取得される。ステップＳ１１における判断で変数Ｍｕｌｔｉ＝１なので、ステップＳ１５においてｄｉｆｆＸ＝（２．５−２．０）＝０．５が、ステップＳ１６においてｄｉｆｆＹ＝（３．４−３．０）＝０．４がそれぞれ代入される。ステップＳ１９において、ｄｉｆｆＸ及びｄｉｆｆＹのうち絶対値が大きい方である０．５が変数Ｃｈｇに代入される。ステップＳ２０において、タッチされた２点の中点の座標である（Ｘ４，Ｙ４）、及びＣｈｇ＝０．５が出力される。ここでＣｈｇが正の値であることは、２点間距離が２回目の処理よりも更に拡大したことを示している。
【００９９】
この様に、例えばＶ（Ｘ０）は、第１の電位に相当し、例えばＶ（Ｙ０）は、第２の電位に相当し、例えばＶ（Ｓ４）は、第３の電位に相当し、例えばＶ（Ｓ６）は、第４の電位に相当し、Ｖ（Ｘ）は、第５の電位に相当し、Ｖ（Ｙ）は、第６の電位に相当する。
【０１００】
そして、このようなタッチパネル装置により検出されるタッチ位置の検出値に基づけば、該タッチパネル装置を搭載した電子機器は、例えば、図１に示した表示パネル９０の画像表示領域に表示させた画像中の１点をタッチパネル１０を介して指定したり、タッチ点を任意の方向に移動させることにより、表示画像をスクロールさせたりするような仕様に加えて、例えば、図２４に示す様に、表示パネル９０に表示した画像を、特定位置を中心として拡大表示させたい場合には、当該中心位置を挟んで２本の指先９９でタッチパネル１０にタッチし、この２本の指先９９の間隔を広げるようにタッチパネル１０上を移動させる、といった仕様を設定することができる。同様に表示を縮小させたい場合には、指先９９の間隔を狭めるようにタッチパネル１０上を移動させる、といった仕様を設定できる。
【０１０１】
このように、本実施形態に依れば、単純な構造のため安価に製造できる抵抗膜式タッチパネルにより、同時に２点がタッチされた場合の２点の中間の位置と２点間の距離情報、特にタッチされた２点間の距離の変化情報を検出することができる。
【０１０２】
［第２の実施形態］
次に、本発明の第２の実施形態について説明する。ここで第２の実施形態の説明では、第１の実施形態との相違点に限定して説明し、第１の実施形態と同一の部分については同一の符号を付して、その説明は省略する。第１の実施形態によれば、変数Ｃｈｇの値を求めることにより、繰り返し処理における前回の処理から今回の処理の間に、同時にタッチされた２点間の距離が広がったか狭まったかという情報と、おおよその２点間の距離の変化の量を求めることができる。然し乍、同じ２点間距離でも、タッチされた２点の中間の位置に応じて、Ｖ（Ｘ）及びＶ（Ｙ）の値は変化する。このため、Ｖ（Ｘ）及びＶ（Ｙ）に基づいて同時にタッチされた２点間の距離の値を求める場合、求まる値の誤差は大きくなる。なお、第１の実施形態において、２点の中間の位置が変化せずに、その２点間の距離が変化している場合は、この誤差は問題とならない。第２の実施形態では、Ｖ（Ｘ）及びＶ（Ｙ）の値を、タッチされた２点の中間の位置に応じて補正し、タッチされた２点間の距離の値という距離情報を精度よく求める場合について説明する。
【０１０３】
図２５に第２の実施形態に係るタッチパネル装置１０２を示す。図２５に示すように、第１の実施形態でのタッチパネル装置２と異なっている点は、記憶部３７に、Ｖ（Ｘ）に対する補正情報５６及びＶ（Ｙ）に対する補正情報５８が記憶されている点である。本実施形態では、Ｖ（Ｘ）に対する補正情報５６及びＶ（Ｙ）に対する補正情報５８を用いて、Ｖ（Ｘ）及びＶ（Ｙ）の値を補正する。例えば、Ｖ（Ｘ）の補正値をＶ（Ｘ）’、Ｖ（Ｙ）の補正値をＶ（Ｙ）’としたとき、補正値Ｖ（Ｘ）’及びＶ（Ｙ）’は、それぞれ下記式により算出することができる。  
Ｖ（Ｘ）’＝（Ｖ（Ｘ）−ＳＴＤＸ１）／ＳＴＤＸ２    ・・・（３）  
Ｖ（Ｙ）’＝（Ｖ（Ｙ）−ＳＴＤＹ１）／ＳＴＤＹ２    ・・・（４）
ここで、Ｖ（Ｘ）に対する補正情報５６には、例えばタッチされた２点の中間の位置と前記ＳＴＤＸ１及びＳＴＤＸ２との関係が含まれており、Ｖ（Ｙ）に対する補正情報５８には、例えばタッチされた２点の中間の位置と前記ＳＴＤＹ１及びＳＴＤＹ２との関係が含まれている。
【０１０４】
例えばＸ軸方向に４列分離れた２点（例えばＸ２の列の点とＸ６の列の点）がタッチされたときに得られる補正値Ｖ（Ｘ）’の値の最小値が０になる様にし、Ｘ軸方向の分解能の限界まで近接した２点がタッチされたときに得られる補正値Ｖ（Ｘ）’の値の最大値が１０になる様にする補正を考える。この場合、ＳＴＤＸ１及びＳＴＤＸ２は、例えば予め、次の様に求めておくことができる。例えば図２０に示した、（Ｘ４，Ｙ４）を２点の中間の位置としたときに対応するＳＴＤＸ１及びＳＴＤＸ２は、図２０に示したＸ軸方向に４列分離れた２点がタッチされたときに得られる値の最小値ＭＩＮ１が１．９であり、Ｘ軸方向の分解能の限界まで近接した２点がタッチされたときに得られる最大値ＭＡＸ１が２．７である。従って、ＳＴＤＸ１＝ＭＩＮ１、ＳＴＤＸ２＝（ＭＡＸ１−ＭＩＮ１）／１０より、ＳＴＤＸ１及びＳＴＤＸ２は、それぞれ１．９及び０．０８と求まる。この様に、各位置に対するＳＴＤＸ１及びＳＴＤＸ２の関係を予め求め、Ｖ（Ｘ）に対する補正情報５６として記憶部３７に予め記憶させておく。
【０１０５】
同様に、例えばＹ軸方向に６行分離れた２点（例えばＹ１の行の点とＹ７の行の点）がタッチされたときに得られる補正値Ｖ（Ｙ）’の値の最小値が０になる様にし、Ｙ軸方向の分解能の限界まで近接した２点がタッチされたときに得られる補正値Ｖ（Ｙ）’の値の最大値が１０になる様にする補正を考える。この場合、例えば図２３に示した、（Ｘ４，Ｙ４）を２点の中間の位置としたときに対応するＳＴＤＹ１及びＳＴＤＹ２は、図２３に示したＹ軸方向に６行分離れた２点がタッチされたときに得られる値の最小値ＭＩＮ２が２．９であり、Ｙ軸方向の分解能の限界まで近接した２点がタッチされたときに得られる最大値ＭＡＸ２が４．２である。従って、ＳＴＤＹ１＝ＭＩＮ２、ＳＴＤＹ２＝（ＭＡＸ２−ＭＩＮ２）／１０より、ＳＴＤＹ１及びＳＴＤＹ２は、それぞれ２．９及び０．１３と求まる。この様に、各中点に対するＳＴＤＹ１及びＳＴＤＹ２の関係を予め求め、Ｖ（Ｙ）に対する補正情報５８として記憶部３７に予め記憶させておく。
【０１０６】
本実施形態において制御部３５が実施する位置の検出方法を説明する。本実施形態では、図５を参照して説明した第１の実施形態の検出方法におけるステップＳ１０とステップＳ１１との間に、距離値算出処理を行う。距離値算出処理を説明するフローチャートを図２６に示す。
【０１０７】
図５を参照して説明した処理のステップＳ１０の後、ステップＳ２１において、制御部３５は、Ｖ（Ｘ）に対する補正情報５６に含まれるＳＴＤＸ１及びＳＴＤＸ２と、Ｖ（Ｙ）に対する補正情報５８に含まれるＳＴＤＹ１及びＳＴＤＹ２とを記憶部３７から読み出す。ここで制御部３５は、ステップＳ２で取得したＶ（Ｘ０）とステップＳ３で取得したＶ（Ｙ０）とに基づいて求まるタッチされた２点の中間の座標（Ｘ０，Ｙ０）に対応するＳＴＤＸ１、ＳＴＤＸ２、ＳＴＤＹ１及びＳＴＤＹ２を読み出す。
【０１０８】
ステップＳ２２において、制御部３５は、式（３）に基づいて、Ｖ（Ｘ）に対する補正値Ｖ（Ｘ）’を算出し、算出したＶ（Ｘ）’をＶ（Ｘ）に代入する。  
例えば、２点の中間の位置が（Ｘ４，Ｙ４）の場合、ＳＴＤＸ１は１．９、ＳＴＤＸ２は０．０８である。これらの値と式（３）に基づいてＶ（Ｘ）’を次式（５）で算出する。  
Ｖ（Ｘ）’＝（Ｖ（Ｘ）−１．９）／０．０８    ・・・（５）
制御部３５は、補正値Ｖ（Ｘ）’を新たにＶ（Ｘ）に代入する。その結果、例えば図２０に示したタッチされた２点の位置とＶ（Ｘ）との関係は補正され、タッチされた２点の位置と補正後の新たなＶ（Ｘ）との関係は、図２７に示す様になる。補正後の新たなＶ（Ｘ）は、タッチされた２点のＸ軸方向の距離を表し、この値が大きい程タッチされた２点のＸ軸方向の距離が小さいことを表す。
【０１０９】
ステップＳ２３において、制御部３５は、式（４）に基づいて、Ｖ（Ｙ）に対する補正値Ｖ（Ｙ）’を算出し、算出したＶ（Ｙ）’をＶ（Ｙ）に代入する。  
例えば、２点の中間の位置が（Ｘ４，Ｙ４）の場合、ＳＴＤＹ１は２．９、ＳＴＤＸ２は０．１３である。これらの値と式（４）に基づいてＶ（Ｙ）’を次式（６）で算出する。  
Ｖ（Ｙ）’＝（Ｖ（Ｙ）−２．９）／０．１３    ・・・（６）  
制御部３５は、補正値Ｖ（Ｙ）’を新たにＶ（Ｙ）に代入する。その結果、例えば図２３に示したタッチされた２点の位置とＶ（Ｙ）との関係は補正され、タッチされた２点の位置と補正後の新たなＶ（Ｙ）との関係は、図２８に示す様になる。補正後の新たなＶ（Ｙ）は、タッチされた２点のＹ軸方向の距離を表し、この値が大きい程タッチされた２点のＹ軸方向の距離が小さいことを表す。
【０１１０】
次にステップＳ２４において、制御部３５は、ステップＳ２２で得られた補正後のＶ（Ｘ）及びステップＳ２３で得られた補正後のＶ（Ｙ）より、タッチされた２点間距離に係る値Ｄｉｓ（Ｘ０，Ｙ０）を、所謂３平方の定理、即ち、下記式（７）によって求める。  
Ｄｉｓ（Ｘ０，Ｙ０）＝（Ｖ（Ｘ）２＋Ｖ（Ｙ）２）１／２    ・・・（７）
例えば、図２７及び図２８に示した１７組の、ステップＳ３１で２．９Ｖが検出されステップＳ３２で２．８Ｖが検出される場合の、タッチされた位置と２点間距離に係る値Ｄｉｓ（Ｘ０，Ｙ０）との関係は、図２８の様になる。つまりＤｉｓ（Ｘ０，Ｙ０）は、タッチされた２点間の距離を表し、この値が大きい程タッチされた２点間の距離が大きいことを表す。なお、同時にタッチされた２点の中間の位置は、座標（Ｘ０，Ｙ０）である。
【０１１１】
Ｄｉｓ（Ｘ０，Ｙ０）は、２点の中間の位置に応じて補正したＶ（Ｘ）及びＶ（Ｙ）を用いて算出されるので、２点の中間の位置に依存せず、タッチ検出領域１０ａの何れの位置においても、同時にタッチされた２点間の距離に比例した値を示す。  
次にステップＳ２５において、制御部３５は、マルチタッチである旨、並びに、座標（Ｘ０，Ｙ０）及びＤｉｓ（Ｘ０，Ｙ０）の情報を含む信号を、当該タッチパネル装置２での検出値として出力する。
【０１１２】
ステップＳ２５において出力される検出値は、例えば表示装置１が組み込まれている電子機器の制御装置に入力される。この検出値を取得した制御装置は、タッチパネルが２点タッチされたとして、又は、タッチされた２点間の距離を示す値に応じて、マルチタッチに対応した所定の処理を実行することができる。
【０１１３】
次に、制御部３５は、距離値算出処理を終了し、処理を図５を参照して説明した処理のステップＳ１１に戻す。その後制御部３５は、ステップＳ１１乃至ステップＳ２０において、第１の実施形態の場合と同様に、同時にタッチされた２点間の距離の変化を求めその結果を出力する。ここで、第２の実施形態では、Ｖ（Ｘ）及びＶ（Ｙ）には、ステップＳ２２及びステップＳ２３において２点の中間の位置の座標（Ｘ０，Ｙ０）応じて補正された値を用いる。従って、第２の実施形態で得られる２点間の距離の変化の値は、第１の実施形態と比較して、精度が良い。
【０１１４】
以上の通り、第２の実施形態ではタッチされた２点間の距離情報を精度よく検出することができる。なお、第２の実施形態において、制御部３５は、ステップＳ１１乃至ステップＳ２０における２点間の距離の変化の算出及びその結果の出力を、不要であれば省略することもできる。
【０１１５】
なお、本発明は上記実施形態そのままに限定されるものではなく、実施段階ではその要旨を逸脱しない範囲で構成要素を変形して具体化できる。例えば、端子ＸＬと端子ＸＲの間や端子ＹＵと端子ＹＤの間に印加する電圧の向きを反転させることもできるし、第３の状態及び第４の状態において、定電圧源３２によって電圧を印加する端子を端子ＹＵと端子ＹＤ間とし、電位計測部３４によって電位を計測する端子と接地する端子の組み合わせを端子ＸＬと端子ＸＲにしても良い。また、第５の状態及び第６の状態において、定電流源３３によって電流を供給する端子を端子ＸＬや端子ＹＤとしても良い。その場合、端子の変更にあわせて、処理を変更し、記憶部３７に記憶しているテーブル等も変更すれば良い。また、上記実施形態に開示されている複数の構成要素の適当な組み合わせにより、種々の発明を形成できる。例えば、実施形態に示される全構成要素から幾つかの構成要素を削除しても、発明が解決しようとする課題の欄で述べられた課題が解決でき、かつ、発明の効果が得られる場合には、この構成要素が削除された構成も発明として抽出され得る。
【０１１６】
以下に、本願出願の当初の特許請求の範囲に記載された発明を付記する。  
［１］  第１の抵抗膜の第１の方向における両端間を短絡し且つ第２の抵抗膜の第２の方向における両端間に予め定めた値の電流を供給した状態で、前記第１の抵抗膜の前記第１の方向における前記両端での電位を計測する第１のステップと、
前記第２の抵抗膜の前記第２の方向における前記両端間を短絡し且つ前記第１の抵抗膜の前記第１の方向における前記両端間に前記予め定めた値の電流を供給した状態で、前記第２の抵抗膜の前記第２の方向における前記両端での電位を計測する第２のステップと、
前記第１のステップで計測した前記電位と前記第２のステップで計測した前記電位とに基づいて前記第１の抵抗膜が前記第２の抵抗膜に対して２点で接触するときの前記２点間の距離情報を導出する第３のステップと、
を含むことを特徴とする抵抗膜式タッチパネルの接触状態検出方法。  
［２］  第１の抵抗膜の第１の方向の端である第１の端領域と該第１の抵抗膜の前記第１の方向と反対の方向の端である第２の端領域との間に予め定めた電圧を印加し且つ第２の抵抗膜の第２の方向の端である第３の端領域を開放した第１の状態で、前記第２の抵抗膜の前記第２の方向と反対の方向の端である第４の端領域の電位を第１の電位として計測する第１のステップと、
前記第３の端領域と前記第４の端領域との間に前記電圧を印加し且つ前記第１の端領域を開放した第２の状態で、前記第２の端領域の電位を第２の電位として計測する第２のステップと、
前記第１の端領域と前記第４の端領域とを短絡させ且つ前記第１の端領域と前記第２の端領域との間に前記電圧を印加した第３の状態で、前記第３の端領域の電位を第３の電位として計測する第３のステップと、
前記第１の端領域と前記第３の端領域とを短絡させ且つ前記第１の端領域と前記第２の端領域との間に前記電圧を印加した第４の状態で、前記第４の端領域の電位を第４の電位として計測する第４のステップと、
前記第１の端領域と前記第２の端領域とを短絡させ且つ前記第３の端領域と前記第４の端領域との間に予め定めた値の電流を供給した第５の状態で、前記第１の端領域及び前記第２の端領域の電位を第５の電位として計測する第５のステップと、
前記第３の端領域と前記第４の端領域とを短絡させ且つ前記第１の端領域と前記第２の端領域との間に前記電流を供給した第６の状態で、前記第３の端領域と前記第４の端領域の電位を第６の電位として計測する第６のステップと、
前記第１の電位、前記第２の電位、前記第３の電位、前記第４の電位、前記第５の電位及び前記第６の電位に基づいて、前記第１の抵抗膜が前記第２の抵抗膜に対して２点で接触するときの前記２点間の距離情報を導出する第７のステップと、
を含むことを特徴とする抵抗膜式タッチパネルの接触状態検出方法。  
［３］  前記第１の電位と前記第２の電位とに基づいて前記２点の中間の位置情報を導出する第８のステップを更に含むことを特徴とする［２］に記載の抵抗膜式タッチパネルの接触状態検出方法。  
［４］  前記第７のステップは、前記第１の抵抗膜と前記第２の抵抗膜との接触点の数が１点でないと判定された場合に実施されることを特徴とする［２］又は［３］に記載の抵抗膜式タッチパネルの接触状態検出方法。  
［５］  前記第７のステップは、
前記第１の電位と前記第２の電位と前記第５の電位とに基づいて、前記第１の方向における前記２点間の第１の距離情報を導出するステップと、
前記第１の電位と前記第２の電位と前記第６の電位とに基づいて、前記第２の方向における前記２点間の第２の距離情報を導出するステップと、
を含むことを特徴とする［２］乃至［４］のうち何れかに記載の抵抗膜式タッチパネルの接触状態検出方法。  
［６］  前記第１の方向と前記第２の方向は互いに直交する方向であることを特徴とする［２］乃至［５］のうち何れかに記載の抵抗膜式タッチパネルの接触状態検出方法。  
［７］  前記第１の抵抗膜と前記第２の抵抗膜は、互いに対向するように配置されていることを特徴とする［２］乃至［６］のうち何れかに記載の抵抗膜式タッチパネルの接触状態検出方法。  
［８］    第１の抵抗膜と、
前記第１の抵抗膜と対向する第２の抵抗膜と、
を有するタッチパネルと、
前記第１の抵抗膜の第１の方向における両端間を短絡し且つ前記第２の抵抗膜の第２の方向における両端間に予め定めた値の電流を供給した状態で、前記第１の抵抗膜の前記第１の方向における前記両端での電位を計測し、
前記第２の抵抗膜の前記第２の方向における前記両端間を短絡し且つ前記第１の抵抗膜の前記第１の方向における前記両端間に前記予め定めた値の電流を供給した状態で、前記第２の抵抗膜の前記第２の方向における前記両端での電位を計測し、
前記計測した２つの電位に基づいて前記第１の抵抗膜が前記第２の抵抗膜に対して２点で接触するときの前記２点間の距離情報を導出する、
駆動回路と、
を具備することを特徴とするタッチパネル装置。  
［９］    第１の抵抗膜と、
前記第１の抵抗膜と対向する第２の抵抗膜と、
を有するタッチパネルと、
前記第１の抵抗膜の第１の方向の端である第１の端領域と該第１の抵抗膜の前記第１の方向と反対の方向の端である第２の端領域との間に予め定めた電圧を印加し且つ前記第２の抵抗膜の第２の方向の端である第３の端領域を開放した第１の状態で、前記第２の抵抗膜の前記第２の方向と反対の方向の端である第４の端領域の電位を第１の電位として計測し、
前記第３の端領域と前記第４の端領域との間に前記電圧を印加し且つ前記第１の端領域を開放した第２の状態で、前記第２の端領域の電位を第２の電位として計測し、
前記第１の端領域と前記第４の端領域とを短絡させ且つ前記第１の端領域と前記第２の端領域との間に前記電圧を印加した第３の状態で、前記第３の端領域の電位を第３の電位として計測し、
前記第１の端領域と前記第３の端領域とを短絡させ且つ前記第１の端領域と前記第２の端領域との間に前記電圧を印加した第４の状態で、前記第４の端領域の電位を第４の電位として計測し、
前記第１の端領域と前記第２の端領域とを短絡させ且つ前記第３の端領域と前記第４の端領域との間に予め定めた値の電流を供給した第５の状態で、前記第１の端領域及び前記第２の端領域の電位を第５の電位として計測し、
前記第３の端領域と前記第４の端領域とを短絡させ且つ前記第１の端領域と前記第２の端領域との間に前記電流を供給した第６の状態で、前記第３の端領域と前記第４の端領域の電位を第６の電位として計測し、
前記第１の電位、前記第２の電位、前記第３の電位、前記第４の電位、前記第５の電位及び前記第６の電位に基づいて、前記第１の抵抗膜が前記第２の抵抗膜に対して２点で接触するときの前記２点間の距離情報を導出する、
駆動回路と、
を具備することを特徴とするタッチパネル装置。  
［１０］  前記駆動回路は、更に前記第１の電位と前記第２の電位とに基づいて前記２点の中間の位置情報を導出することを特徴とする［９］に記載のタッチパネル装置。  
［１１］  前記駆動回路は、前記第１の抵抗膜と前記第２の抵抗膜との接触点の数が１点でないと判定した場合に前記２点間の前記距離情報を導出することを特徴とする［９］又は［１０］に記載のタッチパネル装置。  
［１２］  前記第１の方向と前記第２の方向は互いに直交する方向であることを特徴とする［９］乃至［１１］のうち何れかに記載のタッチパネル装置。  
［１３］  前記タッチパネルは、
前記第１の抵抗膜が形成された第１基板と、
前記第１基板と前記第１の抵抗膜との間に介在するように配列された複数の突起部と、
を有していることを特徴とする［９］乃至［１２］のうち何れかに記載のタッチパネル装置。  
［１４］  前記２点間の前記距離情報の導出は、
前記第１の電位と前記第２の電位と前記第５の電位とに基づいて、前記第１の方向における前記２点間の第１の距離情報の導出と、
前記第１の電位と前記第２の電位と前記第６の電位とに基づいて、前記第２の方向における前記２点間の第２の距離情報の導出と、
を含むことを特徴とする［９］乃至［１３］のうち何れかに記載のタッチパネル装置。  
［１５］  画像を表示する表示パネルと、
第１の抵抗膜と、
前記第１の抵抗膜と対向する第２の抵抗膜と、
を有するタッチパネルと、
前記第１の抵抗膜の第１の方向における両端間を短絡し且つ前記第２の抵抗膜の第２の方向における両端間に予め定めた値の電流を供給した状態で、前記第１の抵抗膜の前記第１の方向における前記両端での電位を計測し、
前記第２の抵抗膜の前記第２の方向における前記両端間を短絡し且つ前記第１の抵抗膜の前記第１の方向における前記両端間に前記予め定めた値の電流を供給した状態で、前記第２の抵抗膜の前記第２の方向における前記両端での電位を計測し、
前記計測した２つの電位に基づいて前記第１の抵抗膜が前記第２の抵抗膜に対して２点で接触するときの前記２点間の距離情報を導出する、
駆動回路と、
を具備することを特徴とする表示装置。  
［１６］  画像を表示する表示パネルと、
第１の抵抗膜と、
前記第１の抵抗膜と対向する第２の抵抗膜と、
を有するタッチパネルと、
前記第１の抵抗膜の第１の方向の端である第１の端領域と該第１の抵抗膜の前記第１の方向と反対の方向の端である第２の端領域との間に予め定めた電圧を印加し且つ前記第２の抵抗膜の第２の方向の端である第３の端領域を開放した第１の状態で、前記第２の抵抗膜の前記第２の方向と反対の方向の端である第４の端領域の電位を第１の電位として計測し、
前記第３の端領域と前記第４の端領域との間に前記電圧を印加し且つ前記第１の端領域を開放した第２の状態で、前記第２の端領域の電位を第２の電位として計測し、
前記第１の端領域と前記第４の端領域とを短絡させ且つ前記第１の端領域と前記第２の端領域との間に前記電圧を印加した第３の状態で、前記第３の端領域の電位を第３の電位として計測し、
前記第１の端領域と前記第３の端領域とを短絡させ且つ前記第１の端領域と前記第２の端領域との間に前記電圧を印加した第４の状態で、前記第４の端領域の電位を第４の電位として計測し、
前記第１の端領域と前記第２の端領域とを短絡させ且つ前記第３の端領域と前記第４の端領域との間に予め定めた値の電流を供給した第５の状態で、前記第１の端領域及び前記第２の端領域の電位を第５の電位として計測し、
前記第３の端領域と前記第４の端領域とを短絡させ且つ前記第１の端領域と前記第２の端領域との間に前記電流を供給した第６の状態で、前記第３の端領域と前記第４の端領域の電位を第６の電位として計測し、
前記第１の電位、前記第２の電位、前記第３の電位、前記第４の電位、前記第５の電位及び前記第６の電位に基づいて、前記第１の抵抗膜が前記第２の抵抗膜に対して２点で接触するときの前記２点間の距離情報を導出する、
駆動回路と、
を具備することを特徴とする表示装置。  
［１７］  前記表示パネルは画像表示領域が前記タッチパネルにおけるタッチ検出領域に対して対向するように配置されている［１５］又は［１６］に記載の表示装置。
【符号の説明】
【０１１７】
２…タッチパネル装置、１０…タッチパネル、１０ａ…タッチ検出領域、１０ｂ…シール材、１１…第１の基板、１２…第２の基板、１３…第１の抵抗膜、１４…第２の抵抗膜、１５…突起部、１７…スペーサ、１８ａ…左端電極、１８ｂ…右端電極、１９ａ…上端電極、１９ｂ…下端電極、２０…液体、３２…定電圧源、３３…定電流源、３４…電位計測部、３５…制御部、３７…記憶部、４２…第１状態タッチテーブル、４４…第２状態タッチテーブル、５２…ＹＵ接地テーブル、５４…ＹＤ接地テーブル、５６…Ｖ（Ｘ）に対する補正情報、５８…Ｖ（Ｙ）に対する補正情報、８０…駆動回路、９０ａ…画像表示領域、９０…表示パネル、９２…観察側基板、９３…裏面側基板、９４…シール材、９５…観察側偏光板、９６…裏面側偏光板、９７…接着層、９９…指先、１０２…タッチパネル装置。
【図１】
2011248858.tif 000003
【図２】
2011248858.tif 000004
【図３】
2011248858.tif 000005
【図４】
2011248858.tif 000006
【図５】
2011248858.tif 000007
【図６】
2011248858.tif 000008
【図７】
2011248858.tif 000009
【図８】
2011248858.tif 000010
【図９】
2011248858.tif 000011
【図１０】
2011248858.tif 000012
【図１１】
2011248858.tif 000013
【図１２】
2011248858.tif 000014
【図１３】
2011248858.tif 000015
【図１４】
2011248858.tif 000016
【図１５】
2011248858.tif 000017
【図１６】
2011248858.tif 000018
【図１７】
2011248858.tif 000019
【図１８】
2011248858.tif 000020
【図１９】
2011248858.tif 000021
【図２０】
2011248858.tif 000022
【図２１】
2011248858.tif 000023
【図２２】
2011248858.tif 000024
【図２３】
2011248858.tif 000025
【図２４】
2011248858.tif 000026
【図２５】
2011248858.tif 000027
【図２６】
2011248858.tif 000028
【図２７】
2011248858.tif 000029
【図２８】
2011248858.tif 000030
【図２９】
2011248858.tif 000031